(57)【要約】【課題】  大入賞口内の特定の通過領域にパチンコ球を通過させることを一定の確率で行うことができるパチンコ機を提供すること。【解決手段】  各始動口のいずれかにパチンコ球が入賞し、各始動口スイッチ５７，５８，５９のいずれかが入賞検出したと判断されると（ＳＴ１０１：ＹＥＳ）、有効フラグがＯＮの状態にあることを条件として（ＳＴ１０２：ＹＥＳ）、大入賞口の開閉扉が動作される（ＳＴ１０３）。この点、有効フラグは、大入賞口の開閉扉の動作中に、大入賞口にパチンコ球が入賞するとＯＦＦされるが、所定時間を経過するとＯＮされる。【選択図】  図２５
2005312596.tif 000002
【特許請求の範囲】
【請求項１】
特定又は通常の通過領域が設けられた大入賞口と、
遊技盤に設けられた始動手段と、
前記始動手段に設けられた始動入賞球検出手段と、
前記始動入賞球検出手段を監視する始動入球検知手段と、
前記始動入球検知手段にて前記始動手段にパチンコ球が始動入賞したことを検知すると前記大入賞口を開放する大入賞口開放手段と、
前記大入賞口開放手段によって前記大入賞口が開放されたタイミングでパチンコ球が前記大入賞口に入球したことを感知する大入賞口入賞球検出手段と、
前記大入賞口入賞球検出手段を監視する大入賞口入賞球検知手段と、
前記大入賞口入賞球検知手段にて前記大入賞口にパチンコ球が入賞したことを検知すると前記始動入賞を無効化する第１始動入賞無効手段と、
前記大入賞口開放手段によって前記大入賞口が開放されたタイミングで所定条件を契機として時間を計測する計数手段と、
前記計数手段が計測を開始して所定時間を経過したかを検知する所定時間経過検知手段と、
前記所定時間経過検知手段によって所定時間を経過したときに前記第１始動入賞無効手段による無効化を解除する始動入賞球再検知手段と、を備えたこと、を特徴とするパチンコ機。
【請求項２】
請求項１に記載するパチンコ機であって、
前記計数手段の計測開始の契機となる所定条件を、前記大入賞口入賞球検知手段にて前記大入賞口にパチンコ球が入賞したことを検知したことにしたこと、を特徴とするパチンコ機。
【請求項３】
請求項１に記載するパチンコ機であって、
前記大入賞口開放手段によって前記大入賞口の開放が終了したことを検知する大入賞口開放終了検知手段を備え、
前記計数手段の計測開始の契機となる所定条件を、前記大入賞口開放終了検知手段にて前記大入賞口の開放が終了したことを検知したことにしたこと、を特徴とするパチンコ機。
【請求項４】
請求項１乃至請求項３のいずれか一つに記載するパチンコ機であって、
前記始動入球検知手段にて前記始動入賞手段にパチンコ球が始動入賞したことを検知すると前記始動入賞を無効化する第２始動入賞無効手段と、
前記大入賞口入賞球検知手段にて前記大入賞口にパチンコ球が入賞したことを一定時間検知しないときに前記第２始動入賞無効手段による無効化を解除する第２始動入賞球再検知手段と、を備えたこと、を特徴とするパチンコ機。
【発明の詳細な説明】
【技術分野】
【０００１】
本発明は、パチンコ球が始動入賞したことを契機として大入賞口が一時開放される遊技機に関する。
【背景技術】
【０００２】
従来のパチンコ機には、例えば、始動入賞口に入賞したパチンコ球が検出されると、大入賞口を所定態様で開放させる動作が行われ、このとき、大入賞口に入賞したパチンコ球が特定の通過領域を通過したことが検知されると、遊技者に有利な状態に移行させる制御を行う第２種のパチンコ機がある（例えば、特許文献１参照）。
【特許文献１】特開２００１−２９９４８０号公報
【０００３】
この点、大入賞口内には、上記特定の通過領域以外にも、通常の通過領域が設けられている。従って、大入賞口に入賞したパチンコ球は、特定の通過領域を必ず通過するわけではなく、一定の確率をもって、特定の通過領域を通過するように設定されており、その設定を実現させるように、大入賞口の構成・動作制御などが設計されている。
【０００４】
そして、この確率の一定性を担保する観点などから、始動入賞口にパチンコ球が入賞して大入賞口が所定態様で開放させる動作が一旦開始されると、その開放動作が終了するまでは、始動入賞口にパチンコ球が再び入賞しても、大入賞口を所定態様で開放させる動作を引き続いては行わないようにしていた。
【発明の開示】
【発明が解決しようとする課題】
【０００５】
しかしながら、大入賞口の開放動作が終了した直後において、始動入賞口にパチンコ球が再び入賞すれば、大入賞口を所定態様で開放させる動作が引き続いて行われることから、例えば、このとき、大入賞口に入賞したパチンコ球が特定の通過領域や通常の通過領域を通過しないうちに、始動入賞口にパチンコ球が再入賞して大入賞口を開放させる動作が再び行われると、再度の開放により大入賞口に入賞したパチンコ球が再度の開放前に既に大入賞口に入賞したパチンコ球と衝突することがあり、これにより、大入賞口に入賞したパチンコ球が特定の通過領域を通過することが、上記一定の確率でなされないおそれがあった。
【０００６】
そこで、本発明は、上述した点を鑑みてなされたものであり、大入賞口内の特定の通過領域にパチンコ球を通過させることを一定の確率で行うことができるパチンコ機を提供することを課題とする。
【課題を解決するための手段】
【０００７】
この課題を解決するために成された請求項１に係る発明は、パチンコ機であって、特定又は通常の通過領域が設けられた大入賞口と、遊技盤に設けられた始動手段と、前記始動手段に設けられた始動入賞球検出手段と、前記始動入賞球検出手段を監視する始動入球検知手段と、前記始動入球検知手段にて前記始動手段にパチンコ球が始動入賞したことを検知すると前記大入賞口を開放する大入賞口開放手段と、前記大入賞口開放手段によって前記大入賞口が開放されたタイミングでパチンコ球が前記大入賞口に入球したことを感知する大入賞口入賞球検出手段と、前記大入賞口入賞球検出手段を監視する大入賞口入賞球検知手段と、前記大入賞口入賞球検知手段にて前記大入賞口にパチンコ球が入賞したことを検知すると前記始動入賞を無効化する第１始動入賞無効手段と、前記大入賞口開放手段によって前記大入賞口が開放されたタイミングで所定条件を契機として時間を計測する計数手段と、前記計数手段が計測を開始して所定時間を経過したかを検知する所定時間経過検知手段と、前記所定時間経過検知手段によって所定時間を経過したときに前記第１始動入賞無効手段による無効化を解除する始動入賞球再検知手段と、を備えたこと、を特徴としている。
【０００８】
尚、「所定時間」は、パチンコ球が大入賞口に入賞してから特定又は通常の通過領域を通過するまでに要する平均時間よりも長く設定されることが望ましい。
【０００９】
また、請求項２に係る発明は、請求項１に記載するパチンコ機であって、前記計数手段の計測開始の契機となる所定条件を、前記大入賞口入賞球検知手段にて前記大入賞口にパチンコ球が入賞したことを検知したことにしたこと、を特徴としている。
【００１０】
また、請求項３に係る発明は、請求項１に記載するパチンコ機であって、前記大入賞口開放手段によって前記大入賞口の開放が終了したことを検知する大入賞口開放終了検知手段を備え、前記計数手段の計測開始の契機となる所定条件を、前記大入賞口開放終了検知手段にて前記大入賞口の開放が終了したことを検知したことにしたこと、を特徴としている。
【００１１】
また、請求項４に係る発明は、請求項１乃至請求項３のいずれか一つに記載するパチンコ機であって、前記始動入球検知手段にて前記始動入賞手段にパチンコ球が始動入賞したことを検知すると前記始動入賞を無効化する第２始動入賞無効手段と、前記大入賞口入賞球検知手段にて前記大入賞口にパチンコ球が入賞したことを一定時間検知しないときに前記第２始動入賞無効手段による無効化を解除する第２始動入賞球再検知手段と、を備えたこと、を特徴としている。
【発明の効果】
【００１２】
すなわち、本発明のパチンコ機では、パチンコ球が大入賞口に入賞した後は、所定時間が経過するまで、始動入賞しても、大入賞口を開放させることがなく、再度の開放により大入賞口に入賞したパチンコ球と再度の開放前に既に大入賞口に入賞したパチンコ球が衝突する事態を回避しているので、大入賞口内の特定の通過領域にパチンコ球を通過させることを一定の確率で行うことができる。
【発明を実施するための最良の形態】
【００１３】
以下、本発明に係る遊技機について、本発明を具体化した本実施形態に基づき図面を参照しつつ詳細に説明する。図１は本実施形態に係るパチンコ遊技機１を示した正面図である。図２は本実施形態に係るパチンコ遊技機１の遊技盤２を示した正面図である。
図１に示すパチンコ遊技機１は、いわゆる第二種パチンコ機であって、パチンコ遊技機１の遊技盤２上に、後述する始動口、可動入賞装置等を配設しているが、図１では省略している。
その遊技盤２の下方には、賞球払出装置（図示せず）を介して、払い出される賞球を受ける上皿Ｐ３がプレートＰ４に配設され、このプレートＰ４は、音出力手段として機能するスピーカ３ａを内蔵している。その上皿Ｐ３の下方には、上皿Ｐ３から溢れたパチンコ球を受ける下皿Ｐ５が配設されている。また、プレートＰ４の下方には、発射装置（図示せず）用の操作ハンドルＰ６が設けられており、上皿Ｐ３上のパチンコ球が、上皿Ｐ３に連通する球送り機構（図示せず）を介して、発射装置へ送られるように構成されている。
【００１４】
また、遊技盤２の両肩部には、賞球払い出し表示用及び球切れ表示用ランプＰ１０が設けられている。この遊技盤２の前側は、鋼板やステンレス等の金属製のガラス扉Ｐ９により覆われている。このガラス扉Ｐ９は、枠体の前側の位置で、ヒンジ部材等を介して、開閉自在となる内枠に取り付けられている。また、ガラス扉Ｐ９には、開口部を有する鋼板やステンレス等の金属製のガラス保持枠が、スポット溶接等により固着されている。そのため、遊技者はガラス保持枠に装着された２枚のガラスを通して、遊技盤２上の遊技領域を見ることができる。また、ガラス扉Ｐ９の上部には、遊技中のエラーを表示するエラー表示ランプＰ７や、「当たり」を表示する当たり表示ランプＰ８が取り付けられている。
【００１５】
次に、本実施形態に係る遊技盤２の遊技領域６に設けられた役物等について、図２に基づき詳細に説明する。
遊技領域６のほぼ中央には、役物としての可動入賞装置７が配置されている。この場合、遊技盤２の中央には、可動入賞装置７用の開口（図示せず）が設けられており、この可動入賞装置７用の開口に対して、可動入賞装置７は、遊技盤２の裏面側からはめ込まれるようになっている。
また、可動入賞装置７の左右には、電飾ランプ８、９が設けられている。その可動入賞装置７と電飾ランプ８、９との間の上方には、入賞口１０、１１が設けられており、更に、入賞口１０、１１の下方であって、電飾ランプ８、９の左右側方には、入賞口１２、１３が設けられている。
その入賞口１２、１３及び可動入賞装置７の下方には、始動口部材１４が設置されており、この始動口部材１４に中始動口１４Ａ、左始動口１４Ｂ及び右始動口１４Ｃが設けられている。
【００１６】
これら中始動口１４Ａ、左始動口１４Ｂ及び右始動口１４Ｃにパチンコ球が入賞すると、所定数の賞球を払い出すと共に、後述する図２５の処理に従って、可動入賞装置７の大入賞口１５の開閉扉１６Ａ、１６Ｂを所定回数だけ開閉する。例えば、中始動口１４Ａにパチンコ球が入賞すると、一定時間のインターバル（例えば１秒間）を置いた後に、開閉扉１６Ａ、１６Ｂが、所定時間（例えば０．４秒間の２回で０．８秒間）開放する。また、左始動口１４Ｂ及び右始動口１４Ｃに、パチンコ球が入賞すると、一定時間のインターバル（例えば１秒間）を置いた後に、開閉扉１６Ａ、１６Ｂが、所定時間（例えば０．５秒間）だけ１回開放する。
【００１７】
また、中始動口１４Ａと左始動口１４Ｂとの間には、左側の表示用ＬＥＤ１４Ｄが配設されており、また、中始動口１４Ａと右始動口１４Ｃとの間には、右側の表示用ＬＥＤ１４Ｅが配設されている。そして、表示用ＬＥＤ１４Ｄ及び表示用ＬＥＤ１４Ｅは、左始動口１４Ｂ及び右始動口１４Ｃに、パチンコ球が入賞した場合、一定時間のインターバル（例えば１秒間）を置いた後に、開閉扉１６Ａ、１６Ｂが所定時間（例えば０．５秒間）だけ開放するに際し、左始動口１４Ｂ及び右始動口１４Ｃに、パチンコ球の入賞直後から、所定時間（１．５秒間、すなわち、０．５秒間と１秒間との合計時間分）、点灯するように構成されている。
また、表示用ＬＥＤ１４Ｄ及び表示用ＬＥＤ１４Ｅは、中始動口１４Ａに、パチンコ球が入賞した場合、一定時間のインターバル（例えば１秒間）を置いた後に、開閉扉１６Ａ、１６Ｂが所定時間（例えば０．４秒間の２回で０．８秒間）だけ開放するに際し、パチンコ球の入賞直後から、所定時間（１．８秒間、すなわち、１秒間と０．８秒間との合計時間分）、点灯するように構成されている。
【００１８】
これは、中始動口１４Ａ、左始動口１４Ｂ及び右始動口１４Ｃにパチンコ球が入賞した際、可動入賞装置７内の開閉扉１６Ａ、１６Ｂを可動させる中始動口１４Ａ、左始動口１４Ｂ及び右始動口１４Ｃの機能が作動しない不作動状態に所定時間だけ設定するので、この不作動時間に該当する場合、表示用ＬＥＤ１４Ｄ及び表示用ＬＥＤ１４Ｅの点灯でもって、その旨を遊技者に報知するためである。そして、「始動口機能を不作動状態にする」とは、不作動時間に該当する場合、パチンコ球が始動口１４Ａ、１４Ｂ、１４Ｃに入賞しても、大入賞口１５用の開閉扉１６Ａ、１６Ｂが可動しない状態、すなわち、大入賞口１５用の開閉扉１６Ａ、１６Ｂが閉じたままの状態にすることをいう。そのため、パチンコ球が始動口１４Ａ、１４Ｂ、１４Ｃに入賞しても、開閉扉１６Ａ、１６Ｂが開かない不作動時間の場合は、例えば始動口１４Ａ、１４Ｂ、１４Ｃ以外の入賞口へ、パチンコ球が入賞するように、発射装置の強さ加減を調整して、パチンコ球を発射するのが良いことが分かるので、遊技者は、現在の遊技状態を把握して、例えばパチンコ球の発射装置の発射強さを調整しながら、その発射装置のハンドル等を適宜操作でき、状況に応じた遊技戦略を実行することができる。
【００１９】
尚、この不作動時間が請求項４の「一定時間」に相当する。
【００２０】
その後、始動口機能が作動状態に戻ると、表示用ＬＥＤ１４Ｄ及び表示用ＬＥＤ１４Ｅが消灯するので、遊技者はその旨を把握することができる。
このように表示用ＬＥＤ１４Ｄ及び表示用ＬＥＤ１４Ｅを、中始動口１４Ａ、左始動口１４Ｂ及び右始動口１４Ｃの近傍の見やすい位置に配置したことにより、始動口の機能と不作動時間との関係が、視覚的に分かりやすい。尚、表示用ＬＥＤ１４Ｄ、１４Ｅ以外に、遊技盤２の周囲に設けられた表示ランプＰ８等の表示手段でもって、不作動時間に該当する旨を報知しても良い。
【００２１】
次に、可動入賞装置７について、図３乃至図１０に基づいて説明する。図３は本実施形態に係る可動入賞装置７を拡大して示す正面図であって、開閉扉１６Ａ、１６Ｂでもって、大入賞口１５Ａ、１５Ｂが閉じた状態であるとともに、左右の開閉用可動手段１９Ａ、１９Ｂが開いた状態である。図４は、その可動入賞装置７を拡大して示す側面図である。図５は、その可動入賞装置７を拡大して示す平面図である。図６は、可動入賞装置７内部を拡大して示す横断面図であって、開閉扉１６Ａ、１６Ｂでもって、大入賞口１５Ａ、１５Ｂが閉じた状態である。図７は、可動入賞装置７内部を拡大して示す縦断面図であって、開閉扉１６Ａ、１６Ｂでもって、大入賞口１５Ａ、１５Ｂが閉じた状態である。
図８は、本実施形態に係る可動入賞装置７を拡大して示す正面図であって、大入賞口１５Ａ、１５Ｂが開いた状態であるとともに、左右の開閉用可動手段１９Ａ、１９Ｂが閉じた状態である。図９は、可動入賞装置７内部を拡大して示す横断面図であって、大入賞口１５Ａ、１５Ｂが開いた状態である。図１０は、可動入賞装置７内部を拡大して示す縦断面図であって、大入賞口１５Ａ、１５Ｂが開いた状態である。
【００２２】
可動入賞装置７の上方構造物７Ａには、図５、図７、及び図１０に示すように、賞球払い出し用の入賞口１７が設けられている。この入賞口１７内にパチンコ球が入賞すると、入賞口スイッチ１７Ａによって、その入賞したパチンコ球が検出されることにより、所定数の賞球が払い出される。
可動入賞装置７の上方構造物７Ａの下方の左右側には、横幅が広くなる左右の大入賞口１５Ａ、１５Ｂが設けられており、これら左右の大入賞口１５Ａ、１５Ｂは、ほぼ長四角形状にそれぞれ形成されている。各大入賞口１５Ａ、１５Ｂの前方には、開閉用可動部材としての開閉扉１６Ａ、１６Ｂが開閉可能に覆われている。この開閉扉１６Ａ、１６Ｂは、可動入賞装置７の裏面側に配設される開閉用ソレノイドＳ１の作動に基づいて、後述の態様で開閉される。そのため、開閉用可動部材として機能する開閉扉１６Ａ、１６Ｂは、可動入賞装置７の上方左右側にそれぞれ配置されることになる。
【００２３】
その大入賞口１５Ａ、１５Ｂの奥部には、可動入賞装置７内の奥部へパチンコ球が進むのを防止するため、壁部材としての壁部Ｂ１が設けられている。この壁部Ｂ１は、大入賞口１５Ａ、１５Ｂの奥部のみならず、大入賞口１５Ａと大入賞口１５Ｂとの間に位置する、大入賞口１５Ａ、１５Ｂ内に入賞した入賞球の出口となる入賞球用出口１６Ｃの奥部にも設けられており、平板状に立設している。
この場合、可動入賞装置７内部において、壁部Ｂ１は、閉じられた開閉扉１６Ａ、１６Ｂの位置から、パチンコ球２個分程度の長さ（図６に示す長さＬ１）分だけ、可動入賞装置７内部の遊技者側から離れる位置（すなわち、遊技盤２の奥部の位置）に配置されている。そのため、壁部Ｂ１と、閉じた状態での開閉扉１６Ａ、１６Ｂとの間の底面部Ｂ２は、パチンコ球２個分程度の長さ（奥行き）であって、開閉扉１６Ａ、１６Ｂ及び入賞球用出口１６Ｃの左右方向の長さを有する空間部が形成されるので、この空間部は、開いた開閉扉１６Ａ、１６Ｂの内側に当たったパチンコ球を貯留させる遊技球貯留部として機能する。
そして、閉じられた開閉扉１６Ａ、１６Ｂの位置から、パチンコ球２個分程度の長さ分、遊技者側から離れる位置に壁部Ｂ１を設ける場合、開閉扉１６Ａ、１６Ｂにパチンコ球が当たった際に、壁部Ｂ１でもって遮られてその奥部に行くことがなく、壁部Ｂ１によって遊技者側に跳ね返されるため、遊技を行っている遊技者は、壁部Ｂ１の手前側に位置するパチンコ球が見やすくなる。
【００２４】
このように開いた開閉扉１６Ａ、１６Ｂの内側に当たったパチンコ球は、壁部Ｂ１に当たって壁部Ｂ１で跳ね返され、大入賞口１５Ａと大入賞口１５Ｂとの間に位置する入賞球用出口１６Ｃ側に寄って、入賞球用出口１６Ｃから遊技者側（前側）に出てくることになるので、入賞球用出口１６Ｃから出たパチンコ球が、可動入賞装置７の遊技者側に配設された前面側パチンコ球通路１８を落下することになる。そのため、閉じた開閉扉１６Ａ、１６Ｂに当たったパチンコ球は、可動入賞装置７の遊技者側の前面側パチンコ球通路１８を通ることになり、遊技を行っている遊技者は、そのパチンコ球が見やすくなる。
尚、壁部Ｂ１の内部には、図６、図７及び図１０に示すように、発光手段としての複数の装飾用の発光ダイオードＬＬが内設されており、この発光ダイオードＬＬから発せられた光が、遊技者に向かって発光することになる。この場合、装飾用の発光ダイオードＬＬの替わりに、例えば文字、数字等を表す表示装置（図示せず）を壁部Ｂ１の遊技者側に設置しても良い。
【００２５】
また、この前面側パチンコ球通路１８には、図６及び図９に明示するように、左右の入賞口スイッチ１８Ａ、１８Ｂが設けられている。その前面側パチンコ球通路１８を通るパチンコ球は、複数の入賞口スイッチ１８Ａ、１８Ｂのいずれかに入賞するので、左右の入賞口スイッチ１８Ａ、１８Ｂが、その入賞したパチンコ球をそれぞれ検出することにより、所定数の賞球が払い出される。
このように２個の入賞口スイッチ１８Ａ、１８Ｂが、可動入賞装置７内の前面側パチンコ球通路１８上に、同じ高さの位置となるように並んで設けられた場合、複数の入賞口スイッチ１８Ａ、１８Ｂのいずれかに入るので、例えば、１個の入賞口スイッチ１８Ａにパチンコ球が詰まる事態が生じたとしても、残りの入賞口スイッチ１８Ｂにパチンコ球が入力した際に、入賞口スイッチ１８Ｂが入賞検出信号を出力して、後述するＣＰＵ５０Ａ、賞球払出回路６１及び賞球払出装置６６の動作の下に、賞球の払い出しを行うことができ、故障に強い可動入賞装置７となる。また、開閉扉１６Ａ、１６Ｂに当たったパチンコ球が、前面側パチンコ球通路１８に導かれ、入賞口スイッチ１８Ａ、１８Ｂの位置に至る際に、２個の入賞口スイッチ１８Ａ、１８Ｂのそれぞれの位置が、左右の開閉扉１６Ａ、１６Ｂからほぼ同じ距離となるように設計されているので、左側の開閉扉１６Ａに当たったパチンコ球は、左側の入賞口スイッチ１８Ａで検出されやすいのに対し、右側の開閉扉１６Ｂに当たったパチンコ球は、右側の入賞口スイッチ１８Ｂで検出されやすくなるため、一つの入賞口スイッチ１８Ａ、１８Ｂにパチンコ球が大量に集まって、その入賞口スイッチ１８Ａ、１８Ｂの位置で詰まるという事態が生じにくい。
【００２６】
この場合、前面側パチンコ球通路１８の両側部には、図３及び図８に明示するように、遊技者側に突き出る左右の突部Ｔ１が設けられている。そして、上下方向に延設された左右の突部Ｔ１の内側には、開いた開閉扉１６Ａ、１６Ｂの内側に当たって、大入賞口１５Ａ、１５Ｂに入り、入賞球用出口１６Ｃから出たパチンコ球のみが、前面側パチンコ球通路１８を通るようできるので、左右の突部Ｔ１は、遊技盤２の可動入賞装置７の外側から転動したパチンコ球が、左右の前面側パチンコ球通路１８の内側に入るのを防止する。
また、左右の開閉扉１６Ａ、１６Ｂの前面側パチンコ球通路１８の両側には、遊技者側に突き出る左右の突部Ｔ０が設けられており、上下方向に延設された左右の突部Ｔ０は、遊技盤２の可動入賞装置７の外側から転動したパチンコ球が、前面側パチンコ球通路１８の内側に侵入するのを防止する。
【００２７】
更に、突部Ｔ１の下方には、前面側パチンコ球通路１８の両側から左右方向に延びるように侵入防止用壁部Ｔ２が設けられており、遊技盤２の可動入賞装置７の外側から転動したパチンコ球が、前面側パチンコ球通路１８の下方内側に入るのを防止する。そのため、左右の突部Ｔ０、左右の突部Ｔ１、左右の侵入防止用壁部Ｔ２は、遊技盤２の可動入賞装置７の外側から転動したパチンコ球が、前面側パチンコ球通路１８に侵入するのを防止するので、開いた開閉扉１６Ａ、１６Ｂの内側に当たって、大入賞口１５Ａ、１５Ｂに入り、入賞球用出口１６Ｃから出たパチンコ球のみが、可動入賞装置７の遊技者側の前面側パチンコ球通路１８を通ることになる。
【００２８】
また、前面側パチンコ球通路１８の左右の入賞口スイッチ１８Ａ、１８Ｂの下方には、左右の開閉用可動手段１９Ａ、１９Ｂが設けられている。左右の開閉用可動手段１９Ａ、１９Ｂは、駆動モータＭ０の作動に基づいて、後述する態様により、選択的に開閉することになる。
そして、左右の開閉用可動手段１９Ａ、１９Ｂが、図８に示すように、相互に閉じた状態では、開閉用可動手段１９Ａ、１９Ｂに当たって止まったパチンコ球は、可動入賞装置７内の中央部に設けられた遊技室内上方パチンコ球通路２０に導かれることになる。また、左右の開閉用可動手段１９Ａ、１９Ｂが、図３に示すように、相互に開いた状態では、左右の開閉用可動手段１９Ａ、１９Ｂを、通過したパチンコ球は、可動入賞装置７の下方部に設けられた遊技室内下方パチンコ球通路２１に導かれることになる。
この場合、遊技室内上方パチンコ球通路２０及び遊技室内下方パチンコ球通路２１は、図７及び図１０に示すように、ともに可動入賞装置７内部に設けられた遊技室２２と連通しており、この遊技室２２の奥部には、特定入賞口としての、大当たりを発生させるＶゾーン用収納部２３が設けられている。
そして、遊技室内上方パチンコ球通路２０が、遊技室２２及び遊技室内下方パチンコ球通路２１に比べて上方に位置するとともに、奥部に向かって下り勾配となる斜面となっているので、遊技室内上方パチンコ球通路２０から落下して遊技室２２へ入るパチンコ球は勢いがあり、Ｖゾーン用収納部２３に入り易い。
それに対して、遊技室内下方パチンコ球通路２１は、遊技室内上方パチンコ球通路２０に比べて下方に位置するとともに、奥部に向かって上り勾配となる斜面となっているので、遊技室内下方パチンコ球通路２１を介して遊技室２２へ入るパチンコ球は、それほど勢いが無く、Ｖゾーン用収納部２３に入りにくい。
【００２９】
それにより、左右の開閉用可動手段１９Ａ、１９Ｂが閉じた場合に、開閉用可動手段１９Ａ、１９Ｂに、当たったパチンコ球は、遊技室内上方パチンコ球通路２０に導かれるので、結果的に、大当たりを発生させ易いことになる。このようにパチンコ球が、遊技領域６に設けられた中始動口１４Ａ、左始動口１４Ｂ及び右始動口１４Ｃへ入賞し、更に、可動入賞装置７内に設けられたＶゾーン用収納部２３へ入賞することにより特別遊技状態を発生し、多数のパチンコ球が入賞可能となって、開閉扉１６Ａ、１６Ｂが開いた状態と閉じた状態と間の変化が、１ラウンドとして、３０秒間に１５回程度生じるので、多くの賞球が払い出されて、遊技者にとって特に有利な特別遊技状態（大当たり）になりやすくなる。
また、Ｖゾーン用収納部２３の下方には、後方パチンコ球排出口２４が設けられており、Ｖゾーン用収納部２３は、遊技室２２内のパチンコ球を後方パチンコ球排出口２４に落下させることができるので、Ｖゾーン用収納部２３を通ったパチンコ球が、後方パチンコ球排出口２４の底部に形成された斜面に沿って、前方に向かって案内される。
【００３０】
また、遊技室２２の前方には、前方パチンコ球排出口２５が設けられており、遊技室２２の底部は、前方パチンコ球排出口２５に向かって、下り勾配となる斜面となっているので、遊技室２２の底部に沿って落下したパチンコ球は、Ｖゾーン用収納部２３を通らない場合、前方パチンコ球排出口２５に落下することになる。
【００３１】
次に、開閉扉１６Ａ、１６Ｂを開閉させる開閉機構ＳＭの動作態様について説明する。
可動入賞装置７の裏面側には、図４乃至図７、図９及び図１０に示すように、開閉機構ＳＭが設けられており、開閉機構ＳＭは、開閉用ソレノイドＳ１、取り付け部材Ｓ３、軸部材Ｓ４、連結部材Ｓ５、軸部材Ｓ６、扇形の歯車Ｓ７及び扇形の歯車Ｓ８等を備えている。
可動入賞装置７の裏面側には、図６及び図９に示すように、左右に並ぶ開閉用ソレノイドＳ１が配設されている。それぞれの開閉用ソレノイドＳ１は、開閉機構ＳＭを作動させるため、プランジャＳ２をそれぞれ伸縮させる。各プランジャＳ２の先端には、軸部材Ｓ４を移動させるための、取り付け部材Ｓ３がそれぞれ取り付けられている。その取り付け部材Ｓ３は、図７及び図１０に示すように、プランジャＳ２の伸縮に基づき、左右方向（図６及び図９）に延設された軸部材Ｓ４を前後に移動できる。
【００３２】
また、図６及び図９に示す軸部材Ｓ４の左右方向の中央には、軸部材Ｓ６と連結させるための、連結部材Ｓ５が取り付けられている。この連結部材Ｓ５は、軸部材Ｓ４の前後動に基づき、図７及び図１０に示すように、左右方向に延設された軸部材Ｓ６を時計回りまたは反時計回り方向に回動させることができる。その軸部材Ｓ６の左右方向の両端には、扇形の歯車Ｓ７がそれぞれ取り付けられており、この扇形の歯車Ｓ７は、軸部材Ｓ６の回動に基づき、軸部材Ｓ６と一体的に時計回りまたは反時計回り方向に回動させることができる。
扇形の歯車Ｓ７は、図４、図６及び図９に示すように、開閉扉１６Ａ、１６Ｂ側の扇形の歯車Ｓ８と相互に歯合しており、扇形の歯車Ｓ８が、開閉扉１６Ａ、１６Ｂの下方基部と連結しているので、扇形の歯車Ｓ８は、扇形の歯車Ｓ７の回動に基づき、反時計回りまたは時計回り方向に回動させられ、開閉扉１６Ａ、１６Ｂは、扇形の歯車Ｓ８の回動に基づき、開閉するように回動させられることになる。
【００３３】
更に詳細には、開閉用ソレノイドＳ１のそれぞれの作動に基づいて、そのプランジャＳ２が、開閉扉１６Ａ、１６Ｂに向かって突き出る（または突き出ない位置に戻る）と、プランジャＳ２の先端の連結部材Ｓ３も、開閉扉１６Ａ、１６Ｂに向かって突き出る（または突き出ない位置に戻る）ので、図７及び図１０に示すように、軸部材Ｓ４が反時計回り方向（時計回り方向）に回転することになる。そして、このような軸部材Ｓ４の回転に伴い、連結部材Ｓ５が反時計回り方向（時計回り方向）に回転し、軸部材Ｓ６を反時計回り方向（時計回り方向）に回転させることになるので、軸部材Ｓ６と一体的に回転する扇形の歯車Ｓ７は、反時計回り方向（時計回り方向）に回転することになる。そして、扇形の歯車Ｓ８は、扇形の歯車Ｓ７の回転に伴い、時計回り方向（反時計回り方向）に回転し、開閉扉１６Ａ、１６Ｂの下方基部を時計回り方向（反時計回り方向）に回転させる。
それにより、大入賞口１５Ａ、１５Ｂの前方を開閉可能に覆う開閉扉１６Ａ、１６Ｂは、可動入賞装置７の裏面側に配設される開閉用ソレノイドＳ１の作動に基づいて、開閉扉１６Ａ、１６Ｂの下方基部を回転中心として開閉されるので、開閉機構ＳＭは、所定のタイミングで開閉用ソレノイドＳ１を作動させることにより、開閉扉１６Ａ、１６Ｂは、所定のタイミングで開閉することになる。
【００３４】
次に、左右の開閉用可動手段１９Ａ、１９Ｂを開閉させる開閉機構ＭＭの動作態様について、図１１乃至図１８に基づいて、詳細に説明する。
図１１は、本実施形態に係る可動入賞装置７の左右の開閉用可動手段１９Ａ、１９Ｂを開閉する開閉機構ＭＭを拡大して示す正面図であり、左右の開閉用可動手段１９Ａ、１９Ｂが相互に閉じた状態を示す。図１２は、同開閉機構ＭＭを拡大して示す平面図であり、左右の開閉用可動手段１９Ａ、１９Ｂが相互に閉じた状態を示す。図１３は、同同開閉機構ＭＭを拡大して示す側面図であり、左右の開閉用可動手段１９Ａ、１９Ｂが相互に閉じた状態を示す。図１４は、同開閉機構ＭＭを拡大して示す裏面図であり、左右の開閉用可動手段１９Ａ、１９Ｂが相互に閉じた状態を示す。
図１５は、同開閉機構ＭＭを拡大して示す正面図であり、左右の開閉用可動手段１９Ａ、１９Ｂが相互に開いた状態を示す。図１６は、同開閉機構ＭＭを拡大して示す平面図であり、左右の開閉用可動手段１９Ａ、１９Ｂが相互に開いた状態を示す。図１７は、同開閉機構ＭＭを拡大して示す側面図であり、左右の開閉用可動手段１９Ａ、１９Ｂが相互に開いた状態を示す。図１８は、同開閉機構ＭＭを拡大して示す裏面図であり、左右の開閉用可動手段１９Ａ、１９Ｂが相互に開いた状態を示す。
【００３５】
この場合、左右の開閉用可動手段１９Ａ、１９Ｂは、可動入賞装置７の裏面側に配設される開閉機構ＭＭの作動に基づいて、選択的に開閉することになる。その開閉機構ＭＭは、図１２及び図１３に示すように、駆動モータＭ０、エンコーダ用鍔部Ｍ２、エンコーダ用検出部Ｍ２ａ、取り付け部材Ｍ３、クランク部Ｍ４、案内ピンＭ５、摺動ピンＭ６Ａ、Ｍ６Ｂ、左右の回転用可動部Ｍ７Ａ、Ｍ７Ｂ、左右の軸部Ｍ８Ａ、Ｍ８Ｂ及び左右の開閉用可動手段１９Ａ、１９Ｂ等を備えている。
開閉機構ＭＭは、モータ軸Ｍ１を有する駆動モータＭ０を備えており、このモータ軸Ｍ１の前方側には、エンコーダ用鍔部Ｍ２が、取り付け部材Ｍ３を介して取り付けられている。このエンコーダ用鍔部Ｍ２は、半月板の形状をなしており、モータ軸Ｍ１の回転に伴って、モータ軸Ｍ１と一体的に回転する。
エンコーダ用鍔部Ｍ２の上方には、エンコーダ用検出部Ｍ２ａが配置されており、このエンコーダ用検出部Ｍ２ａは、エンコーダ用鍔部Ｍ２の存在及び不存在を検出することにより、エンコーダ用信号をＣＰＵ５０Ａ（図１９参照）に出力でき、このエンコーダ用信号は、回転動作用の駆動モータＭ０の制御のために使用されることになる。
【００３６】
その取り付け部材Ｍ３の前方側には、図１１に示すように、Ｈ型形状のクランク部Ｍ４が取り付けられている。このクランク部Ｍ４は、４個の上下方向に穿設された上下用溝部Ｍ４ａと、２個の左右方向に穿設された左右用溝部Ｍ４ｂとを備えている。これら上下用溝部Ｍ４ａには、４本の案内ピンＭ５がはめ込まれ、また、２個の左右用溝部Ｍ４ｂには、２本の摺動ピンＭ６Ａ、Ｍ６Ｂがはめ込まれている。そのため、モータ軸Ｍ１の回転に伴って、クランク部Ｍ４が上下に揺動する際に、４個の溝部Ｍ４ａにはめ込まれた４本の案内ピンＭ５が、クランク部Ｍ４の上下動が垂直方向となるように規制する場合、左右用溝部Ｍ４ｂにはめ込まれた左右の摺動ピンＭ６Ａ、Ｍ６Ｂは、左右用溝部Ｍ４ｂの上下動に基づいて、上下に揺動することになる。
【００３７】
そして、左右の摺動ピンＭ６Ａ、Ｍ６Ｂには、図１１及び図１２に示すように、左右の回転用可動部Ｍ７Ａ、Ｍ７Ｂの一端が取り付けられており、左右の回転用可動部Ｍ７Ａ、Ｍ７Ｂの他端には、左右の軸部Ｍ８Ａ、Ｍ８Ｂの後方部がそれぞれ取り付けられている。そのため、クランク部Ｍ４及び左右の摺動ピンＭ６Ａ、Ｍ６Ｂの上下の揺動に伴って、左右の回転用可動部Ｍ７Ａ、Ｍ７Ｂの一端が上下に揺動するので、左右の軸部Ｍ８Ａ、Ｍ８Ｂの取り付け位置が固定されている場合、左右の軸部Ｍ８Ａ、Ｍ８Ｂは、回転用可動部Ｍ７Ａ、Ｍ７Ｂの一端の揺動に伴って、時計回り方向（または反時計回り方向）に回転することになる。
そのため、長手方向に延びる軸部Ｍ８Ａ、Ｍ８Ｂの前方に取り付けられた左右の開閉用可動手段１９Ａ、１９Ｂは、軸部Ｍ８Ａ、Ｍ８Ｂと一体的に時計回り方向（または反時計回り方向）に回転するので、左右の開閉用可動手段１９Ａ、１９Ｂの先端が相互に近接したり、相互に離間する。
そして、左右の開閉用可動手段１９Ａ、１９Ｂの先端が相互に近接する場合、左右の開閉用可動手段１９Ａ、１９Ｂはパチンコ球を保持する。それに対して、左右の開閉用可動手段１９Ａ、１９Ｂの先端が相互に離間する場合、左右の開閉用可動手段１９Ａ、１９Ｂの先端の間から、パチンコ球は下方に落下することになる。それにより、開閉機構ＭＭは、エンコーダ用検出部Ｍ２ａのエンコーダ用信号に基づいて、所定のタイミングで駆動モータＭ０を作動させることにより、左右の開閉用可動手段１９Ａ、１９Ｂは、所定のタイミングで開閉することになる。
【００３８】
そして、左右の開閉用可動手段１９Ａ、１９Ｂが閉じた場合に当たって止まったパチンコ球は、遊技室内上方パチンコ球通路２０に導かれ、Ｖゾーン用収納部２３に入った場合、大当たりを発生させることになるので、遊技者の興趣を増大させることができる。
左右の開閉用可動手段１９Ａ、１９Ｂには、板バネＱ１が取り付けられているので、板バネＱ１にパチンコ球が当たることにより、パチンコ球は、左右の開閉用可動手段１９Ａ、１９Ｂから遠ざかるように弾かれることになる。これは、板バネＱ１にパチンコ球を弾いて、左右の開閉用可動手段１９Ａ、１９Ｂにおいてパチンコ球が完全に詰まらなくするためである。
それにより、左右の開閉用可動手段１９Ａ、１９Ｂの先端が、相互に離間する状態から近接する場合において、開閉用可動手段１９Ａ、１９Ｂの先端の間で、パチンコ球が完全に詰まらなければ、入賞口スイッチ１８Ａ、１８Ｂの検出でもって、賞球の払い出しが少なくとも確保されることになる。そのため、遊技者は、例えば遊技店管理人を呼んで、管理人が詰まったパチンコ球を取り出すために、遊技を中断させる必要性が少なくなる。
【００３９】
ここで、仮に、前面側パチンコ球通路１８に、１個の入賞口スイッチのみが設置された場合、その入賞口スイッチが故障した際に、賞球の払い出しを行うことが全くできない状態となり、遊技者が被る不利益が極めて大きい。それに対して、前面側パチンコ球通路１８に、複数の入賞口スイッチ１８Ａ、１８Ｂが設けられた場合、仮に、１個の入賞口スイッチ１８Ａが故障しても、残りの１個の入賞口スイッチ１８Ｂが故障していなければ、正常な１個の入賞口スイッチ１８Ｂから出力した入賞検出信号に対しては、賞球払い出し用メイン制御手段を構成するＣＰＵ５０Ａが入力した際に、賞球払い出し用サブ制御手段を構成する賞球払出回路６１及び賞球払出装置６６が、賞球の払い出しを行うことができる。
【００４０】
次に、本実施形態に係るパチンコ遊技機１の制御回路のシステムについて、図１９を参照しながら説明する。図１９は、本実施形態に係るパチンコ遊技機１の制御回路部５０のシステム構成を示すブロック図である。
制御手段として機能する制御回路部５０には、図１９に示すように、制御回路部５０の全体を制御するＣＰＵ５０Ａと、種々のプログラム等を記憶するメモリとしてのＲＯＭ５１と、制御プログラムや制御処理に必要なデータ等を記憶するメモリとしてのＲＡＭ５２と、入力ポート５３及び出力ポート５４とが設けられている。これらＣＰＵ５０Ａ、ＲＡＭ５２、入力ポート５３及び出力ポート５４は、バス線５５で相互に接続されている。また、ＣＰＵ５０Ａには、所定のクロック信号を出力するクロック回路５６が接続されている。また、ＲＡＭ５２は、一定時間の計測用のタイマ５２Ａの機能を果たす。
【００４１】
また、中始動口１４Ａ、左始動口１４Ｂ、右始動口１４Ｃには、入賞球を検出する中始動口スイッチ５７、左始動口スイッチ５８、右始動口スイッチ５９がそれぞれ設けられており、これら始動口スイッチ５７、５８、５９が、入力ポート５３にそれぞれ接続されている。この場合、始動口スイッチ５７、５８、５９が、入賞球を検出した場合、入力ポート５３を介して、ＣＰＵ５０Ａに対してその検出信号を出力するが、便宜的に指令信号をＣＰＵ５０Ａに対して出力すると称する。
また、各入賞口１０、１１、１２、１３、１７には、入賞球を検出する各入賞口スイッチ１０Ａ、入賞口スイッチ１１Ａ、入賞口スイッチ１２Ａ、入賞口スイッチ１３Ａ、入賞口スイッチ１７Ａが設けられており、これら入賞口スイッチ１０Ａ、１１Ａ、１２Ａ、１３Ａ、１７Ａは、検出信号を入力するための、入力ポート５３に接続されている。また、入賞口スイッチ１８Ａ、１８Ｂは、ＣＰＵ５０Ａが入賞検出信号を入力するため、入力ポート５３に接続されている。
また、駆動モータＭ０のエンコーダ検出部Ｍ２が、入力ポート５３に接続されており、入力ポート５３を介して、ＣＰＵ５０Ａは、エンコーダ検出部Ｍ２からの検出信号を入力する。
【００４２】
また、大入賞口１５の内部には、入賞球のカウントを行う大入賞口スイッチ１５Ａが設けられており、大入賞口スイッチ１５Ａは、検出信号を入力するための、入力ポート５３に接続されている。また、可動入賞装置７のＶゾーン用収納部２０ｂには、大入賞口１５の開放を所定分継続して特別遊技状態（大当たり状態）を発生させるべく、Ｖゾーンへの入賞球の検出を行うＶゾーン用スイッチ２０Ｖが設けられており、このＶゾーン用スイッチ２０Ｖは、検出信号を入力するための、入力ポート５３に接続されており、入力ポート５３を介して、ＣＰＵ５０Ａは、Ｖゾーン用スイッチ２０Ｖからの入賞を示す入賞信号を入力する。
【００４３】
また、出力ポート５４には、スピーカ３ａを介してゲーム音楽等を再生するための、音声基板６０が接続されている。そして、ＲＯＭ５１には、スピーカ３ａを介してゲーム音楽等を再生する際の、音声基板６０を駆動させる際の動作プログラムが記憶されているので、動作プログラムに従って動作するＣＰＵ５０Ａの制御の下、スピーカ３ａを介してゲーム音楽等が再生される。
また、出力ポート５４は、賞球払出回路６１を介して賞球払出装置６６に接続されている。そして、ＲＯＭ５１には、賞球払出回路６１を介して賞球払出装置６６を駆動させる際の動作プログラムが記憶されているので、動作プログラムに従って動作するＣＰＵ５０Ａの制御の下、ＣＰＵ５０Ａが賞球払出回路６１に対して賞球払出信号を出力し、その賞球払出回路６１は、賞球払出装置６６を作動させて所定の個数のパチンコ球を払い出させることができる。このようにＣＰＵ５０Ａが賞球の払い出し動作のための機能を果たす場合、賞球払い出し用メイン制御手段として機能するのに対して、賞球払出回路６１及び賞球払出装置６６が、ＣＰＵ５０Ａからの指令に基づき、賞球の払い出し動作を行う際、賞球払い出し用サブ制御手段６１Ａとして機能する。
そして、入力ポート５３を介して、入賞口スイッチ１８Ａ、１８Ｂから入賞検出信号を入力したＣＰＵ５０Ａは、入賞検出信号に基づいて、入賞球の個数データを合計して、その個数データをＲＡＭ５２に記憶させる他に、賞球払出装置６６から払い出すべき入賞球の個数データを合計して、合計した個数データをＲＡＭ５２に記憶させることができる。そして、ＣＰＵ５０Ａは、賞球の払い出し指令を賞球払出回路６１に対して行うので、賞球払出回路６１の制御の下に、賞球払出装置６６が制御される。
【００４４】
また、出力ポート５４には、大入賞口１５の開閉扉１６の開閉用ソレノイドＳ１が、ソレノイド駆動回路６２を介して接続されている。そして、ＲＯＭ５１には、特別遊技状態（大当たり）等の際の、大入賞口１５の開閉扉１６の開閉動作についての動作プログラムが記憶されている。そのため、この動作プログラムに従って動作するＣＰＵ５０Ａの制御の下、開閉用ソレノイドＳ１用の駆動用信号が、出力ポート５４を介してソレノイド駆動回路６２に出力され、開閉用ソレノイドＳ１は所定の作動（不作動）態様を実行することができる。
また、発光ダイオードＬＬ、及び表示用ＬＥＤ１４Ｄ、１４Ｅ等を駆動するＬＥＤ駆動回路６３が、出力ポート５４に接続されている。更に、各電飾ランプ８、電飾ランプ９、エラー表示ランプＰ７、表示ランプＰ８を点灯駆動するランプ駆動回路６４が、出力ポート５４に接続されている。
【００４５】
また、可動入賞装置７の左右の開閉用可動手段１９Ａ、１９Ｂを回転させる駆動モータＭ０を駆動するモータ駆動回路６５が、出力ポート５４に接続されている。ＲＯＭ５１には、駆動モータＭ０を駆動制御するための、動作プログラム及び駆動用の駆動データが記憶されている。この動作プログラムに従って動作するＣＰＵ５０Ａの制御の下、駆動モータＭ０についての、駆動用の駆動用信号が、モータ駆動回路６５に出力され、その駆動用信号に基づいて、これら駆動モータＭ０が駆動することになる。
【００４６】
次に、賞球の払い出し処理の動作態様について、図２０を参照して説明する。
ここで、図２０は、実施形態に係るパチンコ遊技機１の賞球の払い出し処理を示すフローチャートである。
先ず、図２０に示されるように、ステップ（以下、ＳＴと略記する）１において、ＣＰＵ５０Ａは、入賞口スイッチ１８Ａが、パチンコ球を検出するか否かを判定する（ＳＴ１）。この場合、ＣＰＵ５０Ａは、入賞口スイッチ１８Ａにおいて、パチンコ球を検出していないと判定した場合には（ＳＴ１：ＮＯ）、ＣＰＵ５０Ａは、入賞口スイッチ１８Ｂにおいて、パチンコ球を検出するか否かを判定する（ＳＴ２）。この場合、ＣＰＵ５０Ａが、入賞口スイッチ１８Ｂから、入力ポート５３を介して、入賞検出信号を入力していないと判定した場合には（ＳＴ２：ＮＯ）、ＣＰＵ５０Ａは、再び入賞口スイッチ１８Ａにおいて、パチンコ球を検出するか否かを判定する（ＳＴ１）。
それにより、複数の入賞口スイッチ１８Ａ、１８Ｂは、それぞれパチンコ球を互いに独立して検出することになるので、いずれか一方の入賞口スイッチ１８Ａ、１８Ｂが仮に故障したとしても、残りの入賞口スイッチ１８Ａ、１８Ｂが正常である限り、正常な入賞口スイッチ１８Ａ、１８Ｂは、パチンコ球を少なくとも検出することができる。そのため、正常な入賞口スイッチ１８Ａ、１８Ｂから、入力ポート５３を介して、入賞検出信号を入力するＣＰＵ５０Ａの制御の下、賞球払出回路６１及び賞球払出装置６６は、賞球の払い出しを行えるので、賞球の払い出しが、少なくとも確保することができる。
【００４７】
ここで、ＣＰＵ５０Ａが、入賞口スイッチ１８Ａから入賞検出信号を入力したと判定した場合には（ＳＴ１：ＹＥＳ）、入賞口スイッチ１８Ａにおいて入賞したことを示す入賞データを、ＲＡＭ５２に記憶する（ＳＴ３）。そして、ＣＰＵ５０Ａは、ＲＯＭ５１に格納されている制御プログラムに従って、払い出される賞球数を計算して、賞球数データをＲＡＭ５２に記憶する（ＳＴ４）。
また、ＣＰＵ５０Ａが、入賞口スイッチ１８Ｂから入賞検出信号を入力したと判定した場合には（ＳＴ２：ＹＥＳ）、入賞口スイッチ１８Ｂにおいて入賞したことを示す入賞データをＲＡＭ５２に記憶する（ＳＴ５）。そして、ＣＰＵ５０Ａは、ＲＯＭ５１に格納されている制御プログラムに従って、払い出される賞球数データを計算して、ＲＡＭ５２に記憶する（ＳＴ６）。ＣＰＵ５０Ａは、入賞口スイッチ１８Ａ、１８Ｂにおける入賞に基づいて、入賞データ及び払い出される賞球数のデータを合計する（ＳＴ７）。
ここで、入賞データを合計する理由は、パチンコ球がＶゾーン用収納部２３へ入賞して、遊技者にとって特別な有利な状態である特別遊技状態になると、開閉扉１６Ａ、１６Ｂが開いた状態と閉じた状態と間の変化が、１ラウンドとして、３０秒間に１５回程度生じるが、この特別遊技状態になった場合、入賞口スイッチ１８Ａ、１８Ｂにおいて、例えば２０個のパチンコ球の入賞が検出された段階で、特別遊技状態を終了させるため、入賞口スイッチ１８Ａ、１８Ｂにおける入賞個数をカウントする必要があるからである。
【００４８】
その後、合計した賞球数のデータに基づいて、ＣＰＵ５０Ａは、賞球払出回路６１に対し賞球払出指令信号を出力して、賞球払出回路６１による駆動の下に、賞球払出装置６６は、合計した所定個数のパチンコ球の払い出しを行う（ＳＴ８）が、入賞口スイッチ１８Ａ、１８Ｂにおける入賞に基づく、パチンコ球の払い出しは、できるだけ速い方が、上皿Ｐ３の球切れが少なくなる意味で望ましい。
この場合、複数の入賞口スイッチ１８Ａ、１８Ｂがパチンコ球を検出すると、ＣＰＵ５０Ａに入賞検出信号を即座に出力し、入賞検出信号を入力したＣＰＵ５０Ａは、直ちに、賞球払出回路６１に対し賞球払出指令信号を出力して、賞球払出装置６６は、直ちにパチンコ球の払い出しを行う。そして、入賞口スイッチ１８Ａ、１８Ｂがパチンコ球を検出してから、例えば、１〜２秒程度でパチンコ球が上皿Ｐ３に払い出される。
それにより、入賞口スイッチ１８Ａ、１８Ｂを通過した前面側パチンコ球通路１８上のパチンコ球が、開閉用可動手段１９Ａ、１９Ｂを介して遊技室２２に入り、Ｖゾーン用収納部２３へ入賞することがあっても、Ｖゾーン用収納部２３への入賞までに時間がかかる時間を、例えば１秒以下になるようにパチンコ球通路を工夫する。そのため、Ｖゾーン用収納部２３への入賞より先に、入賞口スイッチ１８Ａ、１８Ｂによるパチンコ球の検出に基づく、賞球の払い出しが行われることになる。
【００４９】
以上説明した通り、本実施形態によれば、遊技盤２の遊技領域６に設けられた左始動口１４Ｂ等へ入賞して、更に、可動入賞装置７の大入賞口１５Ａ、大入賞口１５Ｂを介して入ったパチンコ球が、可動入賞装置７内に設けられたＶゾーン用収納部２３へ入賞することにより、遊技者にとって有利な状態である特別遊技状態を発生するとともに、賞球の払い出しを行うパチンコ遊技機１において、可動入賞装置７内に設けられたＶゾーン用収納部２３までの前面側パチンコ球通路１８上に、パチンコ球を検出するとともに、その入賞検出信号を出力する複数の入賞口スイッチ１８Ａ、１８Ｂと、複数の入賞口スイッチ１８Ａ、１８Ｂから出力された入賞検出信号をそれぞれ入力するＣＰＵ５０Ａ等と、ＣＰＵ５０Ａ等からの指令に基づき、賞球の払い出しを行う賞球払出回路６１及び賞球払出装置６６とを設けたので、複数の入賞口スイッチ１８Ａ、１８Ｂが、パチンコ球を検出すると、ＣＰＵ５０Ａは入賞口スイッチ１８Ａ、１８Ｂから出力された入賞検出信号を入力し、賞球払出回路６１及び賞球払出装置６６は、ＣＰＵ５０Ａからの指令に基づき、入賞口スイッチ１８Ａ、１８Ｂから入賞検出信号を入力した際に、賞球の払い出しを行う。
【００５０】
そのため、可動入賞装置７内に設けられた前面側パチンコ球通路１８上の例えば左右の開閉用可動手段１９Ａ、１９Ｂにおいてパチンコ球が詰まって、パチンコ球がＶゾーン用収納部２３まで到達しえない場合であっても、Ｖゾーン用収納部２３より上流側に位置する入賞口スイッチ１８Ａ、１８Ｂから出力した入賞検出信号を、ＣＰＵ５０Ａが入力した際に、ＣＰＵ５０Ａ、賞球払出回路６１及び賞球払出装置６６が、賞球の払い出しを行うことにより、賞球の払い出しをできるだけ確保することができる。
そして、入賞口スイッチ１８Ａ、１８Ｂが複数の場合に、１個の入賞口スイッチ１８Ａ、１８Ｂが故障したり、または、１個の入賞口スイッチ１８Ａ、１８Ｂまでの遊技球通路上で、パチンコ球が詰まったとしても、残りの入賞口スイッチ１８Ａ、１８Ｂが正常であり、または、残りの入賞口スイッチ１８Ａ、１８Ｂまでのパチンコ球通路上で、パチンコ球が詰まっていなければ、入賞口スイッチ１８Ａ、１８Ｂから出力した入賞検出信号を、ＣＰＵ５０Ａが入力した際に、ＣＰＵ５０Ａ、賞球払出回路６１及び賞球払出装置６６が、賞球の払い出しを行うことができるので、遊技者が受ける不利益を、なるべく小さくすることができ、いずれかの入賞口スイッチ１８Ａ、１８Ｂに故障が起こっても、何とか遊技を続行できる。
【００５１】
また、前記の実施形態によれば、開いた開閉扉１６Ａ、１６Ｂの内側に、パチンコ球が当たって装置７内部に入った後に、遊技者側から離れる方向にパチンコ球が進むのを防止する壁部Ｂ１を装置７内部に設け、更に、開いた開閉扉１６Ａ、１６Ｂに当たったパチンコ球を、開閉扉１６Ａ、１６Ｂに隣接する入賞球用出口１６Ｃから、貯留機能を果たす空間部を通って入賞球用出口１６Ｃから出し、下流側に転動させる前面側パチンコ球通路１８を、可動入賞装置７の遊技者側に設けた。
そのため、開いた開閉扉１６Ａ、１６Ｂに当たったパチンコ球は、壁部Ｂ１によって遮られて、その奥部に行くことがなく、壁部Ｂ１の手前側に位置するとともに、可動入賞装置７の遊技者側に位置するので、開閉扉１６Ａ、１６Ｂに当たって下流側に転動するパチンコ球が見やすくなって、パチンコ遊技を行う遊技者は遊技に集中することができる。そして、前面側パチンコ球通路１８を通って、下流側に向かって転動したパチンコ球は、遊技室２２内に入るので、Ｖゾーン用収納部２３へ入賞した場合、特別遊技状態が発生することになる。
尚、役物としての可動入賞装置７は、内部にパチンコ球を入れるための大入賞口１５Ａ、１５Ｂ、及び、この大入賞口１５Ａ、１５Ｂの近傍に配置した開閉扉１６Ａ、１６Ｂを備える可動入賞装置に限ったものではなく、遊技者にとって有利な状態を選択的に形成するため、開閉用可動部材を開閉することができるものであれば、その他のものでも良い。
【００５２】
次に、羽根式の開閉用可動部材を用いた役物に関する他の実施の形態について、図２１乃至図２３を参照して説明する。ここで、図２１は、他の実施形態に係る可動入賞装置６７を拡大して示した正面図である。図２２は、その可動入賞装置６７を示す拡大断面図である。図２３は、他の実施形態に係る可動入賞装置６７におけるパチンコ球通路及び複数の入賞口スイッチを抽出して示した拡大斜視図である。
この実施の形態の場合でも、可動入賞装置６７は、パチンコ遊技機の遊技領域に取り付けられ、パチンコ遊技機を制御する制御手段でもって制御されることについては、前記実施形態と同様である。そのため、前記実施の形態に用いられる部材、部品等と同一のものについては、同一の符号を付して詳細な説明を省略する。
【００５３】
この可動入賞装置６７の上部には、覆い部Ｒ０が設けられており、覆い部Ｒ０から左右に流れる斜面が形成されている。この可動入賞装置６７の上方左右には、図２１乃至図２３に示すように、上方開口６７ａが設けられている。その可動入賞装置６７の左肩及び右肩の上方開口６７ａには、パチンコ球を当てて、可動入賞装置６７内にパチンコ球を導くため、回動可能な開閉用羽根部材７９が配置されており、一対の開閉用羽根部材７９は、遊技球当て部７９Ａをその上方側にそれぞれ備えている。
左肩及び右肩の上方開口６７ａ、６７ａの間に挟まれる遊技室Ｒ１には、遊技中回転を継続する回転部材８０が配置されており、回転部材８０の一部に、特別入賞口（図示せず）が設けられている。そして、特別入賞口に、パチンコ球が入賞すると、「大当たり」（遊技者にとって特に有利な特別遊技状態）が発生し、所定数の賞球が払い出される。この場合、回動可能な開閉用羽根部材７９は、上方開口６７ａ、６７ａ内に、パチンコ球を入れるか否かを決定するので、結果として、遊技者にとって有利な特別遊技状態（大当たり）を発生させるか否かの決定に関与する役割を果たすことなる。
【００５４】
遊技室Ｒ１の上方には、上方開口６７ａ、６７ａから入ったパチンコ球を案内するためのパチンコ球通路Ｒ２が左右方向に延びるように形成されている。このパチンコ球通路Ｒ２には、図２３に示すように、複数の入賞口スイッチＲ２Ａ、Ｒ２Ｂが形成されており、入賞口スイッチＲ２Ａ、Ｒ２Ｂを介して、パチンコ球は、遊技室Ｒ１に落下することができる。パチンコ球通路Ｒ２には、パチンコ球をスムーズに左右方向に流して、入賞口スイッチＲ２Ａ、Ｒ２Ｂを介して、落下させるために、後方壁部Ｒ２Ｃが設けられている。この場合、入賞口スイッチＲ２Ａ、Ｒ２Ｂは、パチンコ球が流下する際における同じ高さの位置に並んで設けたので、一つのパチンコ球は、いずれか一つの入賞口スイッチＲ２Ａ、Ｒ２Ｂのみに入ることになる。
この場合、左右の開閉用羽根部材７９に当たったパチンコ球が、前面側パチンコ球通路Ｒ２に導かれ、入賞口スイッチＲ２Ａ、Ｒ２Ｂの位置に至る際に、２個の入賞口スイッチＲ２Ａ、Ｒ２Ｂのそれぞれの位置が、左右の開閉用羽根部材７９からほぼ同じ距離Ｌ３となるように設計されているので、左側の開閉用羽根部材７９に当たったパチンコ球は、左側の入賞口スイッチＲ２Ａで検出されやすいのに対し、右側の開閉用羽根部材７９に当たったパチンコ球は、右側の入賞口スイッチＲ２Ｂで検出されやすくなるため、一つの入賞口スイッチＲ２Ａ、Ｒ２Ｂにパチンコ球が大量に集まって、その入賞口スイッチＲ２Ａ、Ｒ２Ｂの位置で詰まるという事態が生じにくい。
【００５５】
また、回転部材８０の内側上部には、図２２に示すように、発光素子としての発光ＬＥＤ８１が設けられている。回転部材８０の下部には、発光ＬＥＤ８１の発光制御を行うための発光用制御基板８２が設けられており、その下方には、発光用制御基板８２を支持するスリップリング８２Ａが設けられている。スリップリング８２Ａには、信号線８３が取り付けられている。回転部材８０の奥部には、回動駆動ギヤ８４が設けられており、この回動駆動ギヤ８４の下方には、駆動モータ８５が設けられている。そして、駆動モータ８５が駆動すると、回動駆動ギヤ８４を回転させ、更に回転部材８０を回転させることになるので、その回転部材８０の回転に同期して、発光ＬＥＤ８１が発光することになる。
【００５６】
その駆動モータ８５の奥部には、図２１及び図２２に示すように、開閉用羽根部材７９を回動させるための一対の駆動用ソレノイド８６が設けられており、この駆動用ソレノイド８６は、それぞれプランジャ８７を有している。そして、プランジャ８７の上端には、クランク８８が取り付けられており、このクランク８８には、左右の開閉用羽根部材７９をそれぞれ回動させるための、一対の駆動用ギヤ８９がそれぞれ取り付けられている。これら左右の駆動用ギヤ８９は、各支持ピン９０を回転中心として回動し、これら駆動用ギヤ８９は、羽根回動用ギヤ９１とそれぞれ歯合している。また、羽根回動用ギヤ９１には、軸部材９２がそれぞれ取り付けられているので、その軸部材９２が回転すると、開閉用羽根部材７９が一体的に回転することになる。
【００５７】
具体的には、プランジャ８７が上方へ移動すると、クランク８８も上方へ移動し、左右の駆動用ギヤ８９が支持ピン９０を回転中心として回動する。この場合、左側駆動用ギヤ８９が反時計回りに回動し、右側駆動用ギヤ８９が時計回りに回動する。すると、左側駆動用ギヤ８９と歯合している左側羽根回動用ギヤ９１が時計回りに回動し、右側駆動用ギヤ８９と歯合している右側羽根回動用ギヤ９１が、反時計回りに回動する。それにより、左側の開閉用羽根部材７９は、左側の軸部材９２が時計回りに回転する結果、時計回りに回動するのに対して、右側の開閉用羽根部材７９は、右側の軸部材９２が反時計回りに回転する結果、反時計回りに回動する。
そして、左側の開閉用羽根部材７９が時計回りに回動すると、左側の開閉用羽根部材７９の遊技球当て部７９Ａが、パチンコ球用の流路Ｐ２から突き出ないので、転動するパチンコ球は、遊技球当て部７９Ａに当たることなく、可動入賞装置６７の内部へ入らない。また、右側の開閉用羽根部材７９が反時計回りに回動すると、遊技球当て部７９Ａが遊技球当て部７９Ａがパチンコ球用の流路Ｐ２に突き出ないので、転動するパチンコ球は、遊技球当て部７９Ａに当たることなく、可動入賞装置６７の内部へ入らない。
【００５８】
一方、プランジャ８７が下方へ移動すると、クランク８８も下方へ移動し、左右の駆動用ギヤ８９が支持ピン９０を回転中心として回動する。この場合、左側駆動用ギヤ８９が時計回りに回動し、右側駆動用ギヤ８９が反時計回りに回動する。すると、左側駆動用ギヤ８９と歯合している左側羽根回動用ギヤ９１が反時計回りに回転するのに対し、右側駆動用ギヤ８９と歯合している右側羽根回動用ギヤ９１が時計回りに回転する。それにより、左側の開閉用羽根部材７９は、左側の軸部材９２が反時計回りに回転する結果、反時計回りに回転するのに対して、右側の開閉用羽根部材７９は、右側の軸部材９２が時計回りに回転する結果、時計回りに回転する。
そして、左側の開閉用羽根部材７９が反時計回りに回転すると、左側の開閉用羽根部材７９の遊技球当て部７９Ａの先端がパチンコ球用の流路Ｐ２に突き出るので、転動するパチンコ球を遊技球当て部７９Ａに当てて、可動入賞装置６７の上方開口６７ａを通過させて、内部へ導くことができる。また、右側の開閉用羽根部材７９が時計回りに回転すると、右側の開閉用羽根部材７９の遊技球当て部７９Ａの先端が、パチンコ球用の流路Ｐ２に突き出るので、転動するパチンコ球を遊技球当て部７９Ａに当てて、可動入賞装置６７の上方開口６７ａを通過させて、内部のパチンコ球通路Ｒ２へ導くことができる。
【００５９】
従って、左側及び右側の開閉用羽根部材７９の遊技球当て部７９Ａが、流路Ｐ２に沿ったパチンコ球の落下を許容するための上方位置（図２１破線）に配置されることにより、転動するパチンコ球の落下を許容させ、転動するパチンコ球を入賞口としての上方開口６７ａに入れない。一方、左側及び右側の開閉用羽根部材７９の遊技球当て部７９Ａが、流路Ｐ２に沿ったパチンコ球の落下を受けるための下方位置（図２１実線）に配置されることにより、流路Ｐ２に沿って落下するパチンコ球を受ける遊技球当て部７９Ａに当てて、可動入賞装置６７内部のパチンコ球通路Ｒ２へ導くことができる。
【００６０】
このようにプランジャ８７の位置でもって、転動するパチンコ球を遊技球当て部７９Ａに当てるか否かが決まり、可動入賞装置６７内部へ導いたり、導かなかったりすることができる。尚、可動入賞装置６７の上部には、覆い部Ｒ１が設けられており、覆い部Ｒ１から左右に流れる斜面が形成されているので、覆い部Ｒ１に沿った流路Ｐ２をパチンコ球は、落下することができる。それにより、パチンコ球の通路となる流路Ｐ２の左右側に、左右の開閉用羽根部材７９がそれぞれ配置されることになる。
また、左右の開閉用羽根部材７９のパチンコ球が当たる部分には、弾性部材としての左右の板バネＱ３がそれぞれ取り付けられているので、板バネＱ３にパチンコ球が当たることにより、パチンコ球は、左右の開閉用羽根部材７９から遠ざかるように弾かれることになる。
【００６１】
具体的には、左右の開閉用羽根部材７９は、図２１に示すように、左右の軸部材９２の前方に取り付けられる基部を回転中心として、パチンコ球が通過する側である先端部を回転させる構成からなっているので、左右の板状のバネ部材Ｑ３を、左右の開閉用羽根部材７９に沿うように取り付ける。そして、前記実施形態と同様に、左右の板状のバネ部材Ｑ３の基部を、左右の開閉用羽根部材７９の基部側（軸部材９２側）に対して固定するのに対して、板状のバネ部材Ｑ３の先端部を固定しない構成とすることにより、板状のバネ部材Ｑ３の先端部にパチンコ球が当たった場合、板状のバネ部材Ｑ３の先端部が湾曲した後に元の形状に戻る際に、バネ部材Ｑ３の弾性力でもって、パチンコ球が開閉用羽根部材７９から離れるように弾くようにする。
【００６２】
それにより、この実施形態に係るパチンコ遊技機１の遊技領域６を転動するパチンコ球を、可動入賞装置６７の左肩及び右肩の上方開口６７ａに入れるため、開閉する一対の開閉用羽根部材７９を備えた可動入賞装置６７において、可動入賞装置６７内に設けられた特別入賞口（図示せず）までの前面側パチンコ球通路Ｒ２上に、パチンコ球を検出するとともに、その入賞検出信号を出力する複数の入賞口スイッチＲ２Ａ、Ｒ２Ｂと、複数の入賞口スイッチＲ２Ａ、Ｒ２Ｂから出力された入賞検出信号をそれぞれ入力するＣＰＵ５０Ａと、ＣＰＵ５０Ａからの指令に基づき、賞球の払い出しを行う賞球払出回路６１及び賞球払出装置６６とを備えたので、複数の入賞口スイッチＲ２Ａ、Ｒ２Ｂが、パチンコ球を検出すると、ＣＰＵ５０Ａは入賞口スイッチＲ２Ａ、Ｒ２Ｂから出力された入賞検出信号を入力し、賞球払出回路６１及び賞球払出装置６６は、ＣＰＵ５０Ａからの指令に基づき、入賞口スイッチＲ２Ａ、Ｒ２Ｂから入賞検出信号を入力した際に、賞球の払い出しを行う。尚、この場合、賞球払出装置６６が行う賞球払い出し動作は、可動入賞装置６７内の特定入賞口への入賞より先に行うことができるように、可動入賞装置６７の遊技室Ｒ１内のパチンコ球通路を構成するのが望ましい。
また、更に他の実施の形態としては、図２４に示すように、前面側パチンコ球通路Ｒ２の左右の開閉用羽根部材７９近傍に、入賞口スイッチＲ３Ａ、Ｒ３Ｂを設けてもよく、左右の開閉用羽根部材７９に当たったパチンコ球が、前面側パチンコ球通路Ｒ２に導かれて流下する際に、左右の開閉用羽根部材７９から入賞口スイッチＲ３Ａ、Ｒ３Ｂまで、ほぼ同じ距離Ｌ４となるように設計されている。図２４に示す可動入賞装置６７の場合、パチンコ球は入賞口スイッチＲ３Ａ、Ｒ３Ｂでもって検出されるので、入賞口スイッチＲ２Ａ、Ｒ２Ｂでもってパチンコ球を検出する必要はなく、入賞口スイッチＲ２Ａ、Ｒ２Ｂの位置には、単なる遊技室Ｒ１に導くための通過口を設ければよい。
【００６３】
尚、前記各実施形態では、遊技機の一例として第２種パチンコ遊技機を例示したが、必要に応じて、それ以外のパチンコ機に本発明を採用してもよいし、それ以外の遊技機に本発明を採用してもよであっても良い。
また、前記実施の形態の場合、可動入賞装置７は、２個の入賞口スイッチを使用したが、必ずしも、この態様を採用することなく、例えば１個の入賞口スイッチを使用してもよいし、３個以上の入賞口スイッチを採用してもよい。また、入賞口に入った入賞球を検出できる構成であれば、必ずしも実施の形態の入賞口スイッチを使用しなくても良い。
その可動入賞装置７内の構造物についても、遊技者の興味を起こさせる回転部材等を採用してもよいし、その他の移動部材を採用してもよい。また、可動入賞装置は、必ずしも、この態様を採用することなく、別の構成を有していても良い。また、賞球払出回路６１が、ＣＰＵ、ＲＡＭ、及びＲＯＭを備え、例えば賞球払出回路６１のＲＯＭが、入賞口に対応する所定の個数の払い出しデータを記憶している場合、賞球払出回路６１のＲＡＭが入賞データを記憶し、賞球払出回路６１のＣＰＵが、払い出す入賞球の個数データを合計して、賞球払出装置６６から合計した賞球の払い出しを行う態様を採用しても良い。従って、賞球払い出し用サブ制御手段の構成は、必ずしも上記実施の形態に限定されない。
また、賞球払出回路６１及び賞球払出装置６６が行う賞球払い出し動作としては、その電気的制御に要する時間を、遊技室内の特定入賞口における入賞検出に要する時間よりなるべく短く設定して、賞球払い出し動作を特定入賞口への入賞より、先に行う態様とするようにしてもよい。
【００６４】
また、この実施形態に係るパチンコ遊技機１においては、図７や図１０の縦断面図に示すように、遊技室２２の前方には、前方パチンコ球排出口２５が設けられており、遊技室２２の底部は、前方パチンコ球排出口２５に向かって、下り勾配となる斜面となっているので、遊技室２２の底部に沿って落下したパチンコ球は、Ｖゾーン用収納部２３を通らない場合、前方パチンコ球排出口２５に落下することになる。この点、前方パチンコ球排出口２５に落下するパチンコ球は、当該前方パチンコ球排出口２５の上流側に設けられた排出口スイッチ１０２によって全て検出される。
【００６５】
さらに、図７や図１０の縦断面図に示すように、Ｖゾーン用収納部２３の下方には、後方パチンコ球排出口２４が設けられており、Ｖゾーン用収納部２３は、遊技室２２内のパチンコ球を後方パチンコ球排出口２４に落下させることができるので、Ｖゾーン用収納部２３を通ったパチンコ球が、後方パチンコ球排出口２４の底部に形成された斜面に沿って、前方に向かって案内される。この点、後方パチンコ球排出口２４に落下するパチンコ球は、当該後方パチンコ球排出口２４の上流側に設けられた排出口スイッチ１０１によって全て検出される。
【００６６】
そして、排出口スイッチ１０１，１０２は、図１９のブロック図に示すように、入力ポート５３にそれぞれ接続されている。従って、排出口スイッチ１０１，１０２は、排出球を検出した場合、入力ポート５３を介して、ＣＰＵ５０Ａに対してその検出信号を出力する。
【００６７】
また、この実施形態に係るパチンコ遊技機１においては、上述したように、中始動口１４Ａ、左始動口１４Ｂ及び右始動口１４Ｃにパチンコ球が入賞すると、所定数の賞球を払い出すと共に、後述する図２５の処理に従って、可動入賞装置７の大入賞口１５の開閉扉１６Ａ、１６Ｂを所定回数だけ開閉する。そこで、図２５の処理について説明する。図２５は、可動入賞装置７の大入賞口１５の開閉扉１６Ａ、１６Ｂの動作処理を示すフローチャートである。
【００６８】
すなわち、図２５の処理では、先ず、ＳＴ１０１において、各始動口スイッチ５７，５８，５９のいずれかが入賞検出したか否かを判断する。このとき、各始動口スイッチ５７，５８，５９のいずれも入賞検出していないと判断する場合には（ＳＴ１０１：ＮＯ）、何もすることなく、図２５の処理を終了する。一方、各始動口スイッチ５７，５８，５９のいずれかが入賞検出していると判断する場合には（ＳＴ１０１：ＹＥＳ）、ＳＴ１０２に進んで、有効フラグはＯＮであるか否かを判断する。
【００６９】
この点、有効フラグは、ＲＡＭ５２に確保されるものであり、後述する図２６〜図２８のいずれかの処理により、ＯＮ・ＯＦＦされるものである。
【００７０】
そして、このとき、有効フラグはＯＮでないと判断する場合には（ＳＴ１０２：ＮＯ）、何もすることなく、図２５の処理を終了する。一方、有効フラグはＯＮであると判断する場合には（ＳＴ１０２：ＹＥＳ）、ＳＴ１０３に進んで、可動入賞装置７の大入賞口１５の開閉扉１６Ａ、１６Ｂを所定回数だけ開閉させる動作を行い、その後に、図２５の処理を終了する。
【００７１】
尚、可動入賞装置７の大入賞口１５の開閉扉１６Ａ、１６Ｂを所定回数だけ開閉させる動作とは、上述した例示に即して言えば、中始動口１４Ａにパチンコ球が入賞して、中始動口スイッチ５７が入賞検出した場合には（ＳＴ１０１：ＹＥＳ）、有効フラグがＯＮであることを条件として（ＳＴ１０２：ＹＥＳ）、一定時間のインターバル（例えば１秒間）を置いた後に、開閉扉１６Ａ、１６Ｂを、所定時間（例えば０．４秒間の２回で０．８秒間）開放させる動作であり、また、左始動口１４Ｂ又は右始動口１４Ｃにパチンコ球が入賞して、左始動口スイッチ５８又は右始動口スイッチ５９が入賞検出した場合には（ＳＴ１０１：ＹＥＳ）、有効フラグがＯＮであることを条件として（ＳＴ１０２：ＹＥＳ）、一定時間のインターバル（例えば１秒間）を置いた後に、開閉扉１６Ａ、１６Ｂを、所定時間（例えば０．５秒間）だけ１回開放させる動作である。
【００７２】
次に、可動入賞装置７の大入賞口１５の開閉扉１６Ａ、１６Ｂを所定回数だけ開閉させる動作を行うか否かの判断要素である有効フラグに関し（ＳＴ１０２）、そのＯＮ・ＯＦＦ処理について説明する。図２６〜図２８は、有効フラグの処理を示すフローチャートである。但し、この実施形態に係るパチンコ遊技機１においては、図２６〜図２８のいずれか一つが実行される。
【００７３】
最初に、図２６の有効フラグ処理について説明すると、図２６の有効フラグ処理では、先ず、ＳＴ１１１において、可動入賞装置７の大入賞口１５の開閉扉１６Ａ、１６Ｂが動作中であるか否かを判断する。
【００７４】
ここで、この判断は、開閉扉１６Ａ、１６Ｂを動作させる開閉用ソレノイドＳ１の動作状況に基づいて行われる。
また、「可動入賞装置７の大入賞口１５の開閉扉１６Ａ、１６Ｂが動作中」とは、上述した例示に即して言えば、中始動口１４Ａにパチンコ球が入賞したことを契機として、一定時間のインターバル（例えば１秒間）を置いた後に、開閉扉１６Ａ、１６Ｂが、所定時間（例えば０．４秒間の２回で０．８秒間）開放させる動作の最中であること、又は、左始動口１４Ｂ又は右始動口１４Ｃにパチンコ球が入賞したことを契機として、一定時間のインターバル（例えば１秒間）を置いた後に、開閉扉１６Ａ、１６Ｂが、所定時間（例えば０．５秒間）だけ１回開放させる動作の最中であることをいう。
【００７５】
もっとも、開閉扉１６Ａ、１６Ｂを２回開放させる場合において、２回の開放の間に一定時間のインターバル（例えば０．５秒）を設けたときには、そのインターバールも、「可動入賞装置７の大入賞口１５の開閉扉１６Ａ、１６Ｂが動作中」に含まれる。また、本発明の趣旨からすれば、開閉扉１６Ａ、１６Ｂの開放動作終了直後の所定時間（例えば１秒間）までも、「可動入賞装置７の大入賞口１５の開閉扉１６Ａ、１６Ｂが動作中」に含ませてもよい。
【００７６】
尚、これらの点は、後述する図２７と図２８の有効フラグ処理でも同様である。
【００７７】
そして、このとき、可動入賞装置７の大入賞口１５の開閉扉１６Ａ、１６Ｂが動作中でないと判断する場合には（ＳＴ１１１：ＮＯ）、何もすることなく、図２６の処理を終了する。一方、可動入賞装置７の大入賞口１５の開閉扉１６Ａ、１６Ｂが動作中であると判断する場合には（ＳＴ１１１：ＹＥＳ）、ＳＴ１１２に進んで、入賞スイッチ１８Ａ，１８Ｂのいずれかが入賞検出したか否かを判断する。
【００７８】
このとき、入賞スイッチ１８Ａ，１８Ｂのいずれも入賞検出していないと判断する場合には（ＳＴ１１２：ＮＯ）、ＳＴ１１７に進んで、可動入賞装置７の大入賞口１５の開閉扉１６Ａ、１６Ｂが動作中であるか否かを判断する。このとき、可動入賞装置７の大入賞口１５の開閉扉１６Ａ、１６Ｂが動作中でないと判断する場合には（ＳＴ１１７：ＮＯ）、何もすることなく、図２６の処理を終了する。一方、可動入賞装置７の大入賞口１５の開閉扉１６Ａ、１６Ｂが動作中であると判断する場合には（ＳＴ１１７：ＹＥＳ）、上述したＳＴ１１２に戻る。
【００７９】
また、上述したＳＴ１１２において、入賞スイッチ１８Ａ，１８Ｂのいずれかが入賞検出したと判断する場合には（ＳＴ１１２：ＹＥＳ）、ＳＴ１１３に進んで、有効フラグをＯＦＦし、さらに、ＳＴ１１４に進んで、タイマ５２Ａによる時間計測（計数）を開始する。
【００８０】
その後は、ＳＴ１１５において、所定時間が経過するまで待機する（ＳＴ１１５：ＮＯ）。そして、所定時間が経過すると（ＳＴ：１１５：ＹＥＳ）、ＳＴ１１６に進んで、有効フラグをＯＮし、その後に、図２６の処理を終了する。
【００８１】
従って、図２５及び図２６の処理によれば、各始動口１４Ａ，１４Ｂ，１４Ｃのいずれかにパチンコ球が入賞し、各始動口スイッチ５７，５８，５９のいずれかが入賞検出したと判断されると（ＳＴ１０１：ＹＥＳ）、有効フラグがＯＮの状態にあることを条件として（ＳＴ１０２：ＹＥＳ）、大入賞口１５の開閉扉１６Ａ、１６Ｂが動作され（ＳＴ１０３）、パチンコ球が大入賞口１５に入賞する機会が与えられるが、このとき、入賞スイッチ１８Ａ，１８Ｂのいずれかが入賞検出したことにより、パチンコ球が大入賞口１５に入賞したと判断されると（ＳＴ１１２：ＹＥＳ）、その後は、「所定時間」が経過しない限り（ＳＴ１１５：ＮＯ）、有効フラグはＯＦＦの状態にある（ＳＴ１１３）。
【００８２】
よって、「所定時間」が経過する以前では（ＳＴ１１５：ＮＯ）、各始動口１４Ａ，１４Ｂ，１４Ｃのいずれかにパチンコ球が入賞し、各始動口スイッチ５７，５８，５９のいずれかが入賞検出したと判断されても（ＳＴ１０１：ＹＥＳ）、有効フラグがＯＦＦの状態にあるので（ＳＴ１０２：ＮＯ）、大入賞口１５の開閉扉１６Ａ、１６Ｂが動作されることはない。
【００８３】
一方、「所定時間」が経過した以後では（ＳＴ１１５：ＹＥＳ）、有効フラグはＯＮの状態にされるので（ＳＴ１１６）、各始動口１４Ａ，１４Ｂ，１４Ｃのいずれかにパチンコ球が再び入賞し、各始動口スイッチ５７，５８，５９のいずれかが入賞検出したと再び判断されると（ＳＴ１０１：ＹＥＳ）、有効フラグがＯＮの状態にあるので（ＳＴ１０２：ＮＯ）、大入賞口１５の開閉扉１６Ａ、１６Ｂが再び動作される（ＳＴ１０３）。
【００８４】
この点、ＳＴ１１５の「所定時間」とは、パチンコ球が大入賞口１５に入賞してから排出口スイッチ１０１，１０２のいずれかに検出されるまでに要する平均時間よりも長く設定される。従って、大入賞口１５に入賞したパチンコ球は、「所定時間」が経過した直後には（ＳＴ１１５：ＹＥＳ）、前方パチンコ球排出口２５や後方パチンコ球排出口２４から排出されて、大入賞口１５内に存在していないことになる。すなわち、「所定時間」が経過した以降において（ＳＴ１１５：ＹＥＳ）、大入賞口１５の開閉扉１６Ａ、１６Ｂが再び動作されることによって（ＳＴ１０３）、大入賞口１５にパチンコ球が入賞しても、大入賞口１５の開閉扉１６Ａ、１６Ｂが再び動作される以前において大入賞口１５に入賞していたパチンコ球は大入賞口１５内には存在せず、開閉扉１６Ａ、１６Ｂの再動作の前後に大入賞口１５にそれぞれ入賞したパチンコ球が遊技室２２内で衝突するような事態を回避しているので、大入賞口１５に入賞したパチンコ球がＶゾーン用収納部２３を通過する確率を一定に保つことができる。
【００８５】
次に、図２７の有効フラグ処理について説明すると、図２７の有効フラグ処理では、先ず、ＳＴ１２１において、可動入賞装置７の大入賞口１５の開閉扉１６Ａ、１６Ｂが動作中であるか否かを判断する。
【００８６】
このとき、可動入賞装置７の大入賞口１５の開閉扉１６Ａ、１６Ｂが動作中でないと判断する場合には（ＳＴ１２１：ＮＯ）、何もすることなく、図２７の処理を終了する。一方、可動入賞装置７の大入賞口１５の開閉扉１６Ａ、１６Ｂが動作中であると判断する場合には（ＳＴ１２１：ＹＥＳ）、ＳＴ１２２に進んで、入賞スイッチ１８Ａ，１８Ｂのいずれかが入賞検出したか否かを判断する。
【００８７】
このとき、入賞スイッチ１８Ａ，１８Ｂのいずれも入賞検出していないと判断する場合には（ＳＴ１２２：ＮＯ）、ＳＴ１２９に進んで、可動入賞装置７の大入賞口１５の開閉扉１６Ａ、１６Ｂが動作中であるか否かを判断する。このとき、可動入賞装置７の大入賞口１５の開閉扉１６Ａ、１６Ｂが動作中でないと判断する場合には（ＳＴ１２９：ＮＯ）、何もすることなく、図２７の処理を終了する。一方、可動入賞装置７の大入賞口１５の開閉扉１６Ａ、１６Ｂが動作中であると判断する場合には（ＳＴ１２９：ＹＥＳ）、上述したＳＴ１２２に戻る。
【００８８】
また、上述したＳＴ１２２において、入賞スイッチ１８Ａ，１８Ｂのいずれかが入賞検出したと判断する場合には（ＳＴ１２２：ＹＥＳ）、ＳＴ１２３に進んで、有効フラグをＯＦＦし、さらに、ＳＴ１２４に進んで、タイマ５２Ａによる時間計測（計数）を開始する。
【００８９】
その後は、ＳＴ１２５において、所定時間が経過したか否かを判断する。このとき、所定時間が経過していないと判断する場合には（ＳＴ１２５：ＮＯ）、ＳＴ１２６に進んで、入賞スイッチ１８Ａ，１８Ｂのいずれかが入賞検出したか否かを判断する。このとき、入賞スイッチ１８Ａ，１８Ｂのいずれも入賞検出していないと判断する場合には（ＳＴ１２６：ＮＯ）、ＳＴ１２５に戻るが、入賞スイッチ１８Ａ，１８Ｂのいずれかが入賞検出したと判断する場合には（ＳＴ１２６：ＹＥＳ）、ＳＴ１２７に進んで、タイマ５２Ａによる時間計測（計数）をリセットし、その後は、ＳＴ１２４に戻って、タイマ５２Ａによる時間計測（計数）を初めからやり直す。
【００９０】
そして、上述したＳＴ１２５において、所定時間が経過したと判断する場合には（ＳＴ１２５：ＹＥＳ）、ＳＴ１２８に進んで、有効フラグをＯＮし、その後に、図２７の処理を終了する。
【００９１】
従って、図２５及び図２７の処理によれば、各始動口１４Ａ，１４Ｂ，１４Ｃのいずれかにパチンコ球が入賞し、各始動口スイッチ５７，５８，５９のいずれかが入賞検出したと判断されると（ＳＴ１０１：ＹＥＳ）、有効フラグがＯＮの状態にあることを条件として（ＳＴ１０２：ＹＥＳ）、大入賞口１５の開閉扉１６Ａ、１６Ｂが動作され（ＳＴ１０３）、パチンコ球が大入賞口１５に入賞する機会が与えられるが、このとき、入賞スイッチ１８Ａ，１８Ｂのいずれかが入賞検出したことにより、パチンコ球が大入賞口１５に入賞したと判断されると（ＳＴ１２２：ＹＥＳ）、その後は、「所定時間」が経過しない限り（ＳＴ１２５：ＮＯ）、有効フラグはＯＦＦの状態にある（ＳＴ１２３）。
【００９２】
よって、「所定時間」が経過する以前では（ＳＴ１２５：ＮＯ）、各始動口１４Ａ，１４Ｂ，１４Ｃのいずれかにパチンコ球が入賞し、各始動口スイッチ５７，５８，５９のいずれかが入賞検出したと判断されても（ＳＴ１０１：ＹＥＳ）、有効フラグがＯＦＦの状態にあるので（ＳＴ１０２：ＮＯ）、大入賞口１５の開閉扉１６Ａ、１６Ｂが動作されることはない。
【００９３】
一方、「所定時間」が経過した以後では（ＳＴ１２５：ＹＥＳ）、有効フラグはＯＮの状態にされるので（ＳＴ１２８）、各始動口１４Ａ，１４Ｂ，１４Ｃのいずれかにパチンコ球が再び入賞し、各始動口スイッチ５７，５８，５９のいずれかが入賞検出したと再び判断されると（ＳＴ１０１：ＹＥＳ）、有効フラグがＯＮの状態にあるので（ＳＴ１０２：ＮＯ）、大入賞口１５の開閉扉１６Ａ、１６Ｂが再び動作される（ＳＴ１０３）。
【００９４】
この点、ＳＴ１１５の「所定時間」とは、パチンコ球が大入賞口１５に入賞してから排出口スイッチ１０１，１０２のいずれかに検出されるまでに要する平均時間よりも長く設定される。また、入賞スイッチ１８Ａ，１８Ｂのいずれかが入賞検出したことにより、パチンコ球が大入賞口１５にさらに入賞したと判断されると（ＳＴ１２２：ＹＥＳ）、 ＳＴ１２７に進んで、タイマ５２Ａによる時間計測（計数）をリセットし、その後は、ＳＴ１２４に戻って、タイマ５２Ａによる時間計測（計数）を初めからやり直している。その結果、ＳＴ１１５の「所定時間」については、大入賞口１５に最後に入賞したパチンコ球を対象にして時間計測された経過時間に基づいて判断されている。
【００９５】
従って、大入賞口１５に入賞した全てのパチンコ球は、「所定時間」が経過した直後には（ＳＴ１２５：ＹＥＳ）、前方パチンコ球排出口２５や後方パチンコ球排出口２４から排出されて、大入賞口１５内に存在していないことがより確実になる。すなわち、「所定時間」が経過した以降において（ＳＴ１２５：ＹＥＳ）、大入賞口１５の開閉扉１６Ａ、１６Ｂが再び動作されることによって（ＳＴ１０３）、大入賞口１５にパチンコ球が入賞しても、大入賞口１５の開閉扉１６Ａ、１６Ｂが再び動作される以前において大入賞口１５に入賞していたパチンコ球は大入賞口１５内には存在せず、開閉扉１６Ａ、１６Ｂの再動作の前後に大入賞口１５にそれぞれ入賞したパチンコ球が遊技室２２内で衝突するような事態を回避しているので、大入賞口１５に入賞したパチンコ球がＶゾーン用収納部２３を通過する確率を一定に保つことができる。
【００９６】
次に、図２８の有効フラグ処理について説明すると、図２８の有効フラグ処理では、先ず、ＳＴ１３１において、可動入賞装置７の大入賞口１５の開閉扉１６Ａ、１６Ｂが動作中であるか否かを判断する。
【００９７】
このとき、可動入賞装置７の大入賞口１５の開閉扉１６Ａ、１６Ｂが動作中でないと判断する場合には（ＳＴ１２３：ＮＯ）、何もすることなく、図２８の処理を終了する。一方、可動入賞装置７の大入賞口１５の開閉扉１６Ａ、１６Ｂが動作中であると判断する場合には（ＳＴ１３１：ＹＥＳ）、ＳＴ１３２に進んで、入賞スイッチ１８Ａ，１８Ｂのいずれかが入賞検出したか否かを判断する。
【００９８】
このとき、入賞スイッチ１８Ａ，１８Ｂのいずれも入賞検出していないと判断する場合には（ＳＴ１３２：ＮＯ）、ＳＴ１３８に進んで、可動入賞装置７の大入賞口１５の開閉扉１６Ａ、１６Ｂが動作中であるか否かを判断する。このとき、可動入賞装置７の大入賞口１５の開閉扉１６Ａ、１６Ｂが動作中でないと判断する場合には（ＳＴ１３８：ＮＯ）、何もすることなく、図２８の処理を終了する。一方、可動入賞装置７の大入賞口１５の開閉扉１６Ａ、１６Ｂが動作中であると判断する場合には（ＳＴ１３８：ＹＥＳ）、上述したＳＴ１３２に戻る。
【００９９】
また、上述したＳＴ１３２において、入賞スイッチ１８Ａ，１８Ｂのいずれかが入賞検出したと判断する場合には（ＳＴ１３２：ＹＥＳ）、ＳＴ１３３に進んで、有効フラグをＯＦＦし、さらに、ＳＴ１３４に進んで、可動入賞装置７の大入賞口１５の開閉扉１６Ａ、１６Ｂが動作中であるか否かを判断する。このとき、可動入賞装置７の大入賞口１５の開閉扉１６Ａ、１６Ｂが動作中であると判断する場合には（ＳＴ１３４：ＹＥＳ）、ＳＴ１３４自身に戻って、可動入賞装置７の大入賞口１５の開閉扉１６Ａ、１６Ｂが動作中であるか否かの判断を繰り返す。一方、可動入賞装置７の大入賞口１５の開閉扉１６Ａ、１６Ｂが動作中でないと判断する場合には（ＳＴ１３４：ＮＯ）、Ｓ１３５に進んで、タイマ５２Ａによる時間計測（計数）を開始する。
【０１００】
その後は、ＳＴ１３６において、所定時間が経過するまで待機する（ＳＴ１３６：ＮＯ）。そして、所定時間が経過すると（ＳＴ：１３６：ＹＥＳ）、ＳＴ１３７に進んで、有効フラグをＯＮし、その後に、図２８の処理を終了する。
【０１０１】
従って、図２５及び図２８の処理によれば、各始動口１４Ａ，１４Ｂ，１４Ｃのいずれかにパチンコ球が入賞し、各始動口スイッチ５７，５８，５９のいずれかが入賞検出したと判断されると（ＳＴ１０１：ＹＥＳ）、有効フラグがＯＮの状態にあることを条件として（ＳＴ１０２：ＹＥＳ）、大入賞口１５の開閉扉１６Ａ、１６Ｂが動作され（ＳＴ１０３）、パチンコ球が大入賞口１５に入賞する機会が与えられるが、このとき、入賞スイッチ１８Ａ，１８Ｂのいずれかが入賞検出したことにより、パチンコ球が大入賞口１５に入賞したと判断されると（ＳＴ１３２：ＹＥＳ）、その後は、「所定時間」が経過しない限り（ＳＴ１３６：ＮＯ）、有効フラグはＯＦＦの状態にある（ＳＴ１３３）。
【０１０２】
よって、「所定時間」が経過する以前では（ＳＴ１３６：ＮＯ）、各始動口１４Ａ，１４Ｂ，１４Ｃのいずれかにパチンコ球が入賞し、各始動口スイッチ５７，５８，５９のいずれかが入賞検出したと判断されても（ＳＴ１０１：ＹＥＳ）、有効フラグがＯＦＦの状態にあるので（ＳＴ１０２：ＮＯ）、大入賞口１５の開閉扉１６Ａ、１６Ｂが動作されることはない。
【０１０３】
一方、「所定時間」が経過した以後では（ＳＴ１３６：ＹＥＳ）、有効フラグはＯＮの状態にされるので（ＳＴ１３７）、各始動口１４Ａ，１４Ｂ，１４Ｃのいずれかにパチンコ球が再び入賞し、各始動口スイッチ５７，５８，５９のいずれかが入賞検出したと再び判断されると（ＳＴ１０１：ＹＥＳ）、有効フラグがＯＮの状態にあるので（ＳＴ１０２：ＮＯ）、大入賞口１５の開閉扉１６Ａ、１６Ｂが再び動作される（ＳＴ１０３）。
【０１０４】
この点、ＳＴ１３６の「所定時間」とは、パチンコ球が大入賞口１５に入賞してから排出口スイッチ１０１，１０２のいずれかに検出されるまでに要する平均時間よりも長く設定される。また、大入賞口１５の開閉扉１６Ａ、１６Ｂが動作中では（ＳＴ１３４：ＹＥＳ）、タイマ５２Ａによる時間計測（計数）は開始されない（ＳＴ１３５）。その結果、ＳＴ１３６の「所定時間」については、大入賞口１５の開閉扉１６Ａ、１６Ｂの動作を終えた時点から時間計測された経過時間に対して判断されている。
【０１０５】
従って、大入賞口１５に入賞した全てのパチンコ球は、「所定時間」が経過した直後には（ＳＴ１３６：ＹＥＳ）、前方パチンコ球排出口２５や後方パチンコ球排出口２４から排出されて、大入賞口１５内に存在していないことがより確実になる。すなわち、「所定時間」が経過した以降において（ＳＴ１３６：ＹＥＳ）、大入賞口１５の開閉扉１６Ａ、１６Ｂが再び動作されることによって（ＳＴ１０３）、大入賞口１５にパチンコ球が入賞しても、大入賞口１５の開閉扉１６Ａ、１６Ｂが再び動作される以前において大入賞口１５に入賞していたパチンコ球は大入賞口１５内には存在せず、開閉扉１６Ａ、１６Ｂの再動作の前後に大入賞口１５にそれぞれ入賞したパチンコ球が遊技室２２内で衝突するような事態を回避しているので、大入賞口１５に入賞したパチンコ球がＶゾーン用収納部２３を通過する確率を一定に保つことができる。
【０１０６】
尚、本発明は上記実施の形態に限定されるものでなく、その趣旨を逸脱しない範囲で様々な変更が可能である。
例えば、この実施形態に係るパチンコ遊技機１においては、図２６〜図２８のいずれか一つの有効フラグ処理が実行されるが、この点、「入賞スイッチ１８Ａ，１８Ｂのいずれかが入賞検出したか否かの判断」については（ＳＴ１１２，ＳＴ１２２，ＳＴ１２６，ＳＴ１３２）、「図２３に示す複数の入賞口スイッチＲ２Ａ、Ｒ２Ｂのいずれかが入賞検出したか否かの判断」に代えてもよい。
【産業上の利用可能性】
【０１０７】
本発明は、パチンコ球が始動入賞したことを契機として大入賞口を開放させるか否かの制御に適用し得る。
【図面の簡単な説明】
【０１０８】
【図１】本実施形態に係るパチンコ遊技機を示した正面図である。
【図２】本実施形態に係るパチンコ遊技機の遊技盤を示した正面図である。
【図３】本実施形態に係る可動入賞装置を拡大して示す正面図であり、開閉扉が閉じた状態を示す。
【図４】本実施形態に係る可動入賞装置を拡大して示す側面図であり、開閉扉が閉じた状態を示す。
【図５】本実施形態に係る可動入賞装置を拡大して示す平面図である。
【図６】本実施形態に係る可動入賞装置を拡大して示す横断面図であり、開閉扉が閉じた状態を示す。
【図７】本実施形態に係る可動入賞装置を拡大して示す縦断面図であり、開閉扉が閉じた状態を示す。
【図８】本実施形態に係る可動入賞装置を拡大して示す正面図であり、開閉扉が開いた状態を示す。
【図９】本実施形態に係る可動入賞装置を拡大して示す横断面図であり、開閉扉が開いた状態を示す。
【図１０】本実施形態に係る可動入賞装置を拡大して示す縦断面図であり、開閉扉が開いた状態を示す。
【図１１】本実施形態に係る可動入賞装置内の左右の開閉用可動手段を作動させる開閉機構を抽出して示す拡大正面図であり、左右の開閉用可動手段が閉じた状態を示す。
【図１２】本実施形態に係る可動入賞装置内の左右の開閉用可動手段を作動させる開閉機構を抽出して示す拡大平面図であり、左右の開閉用可動手段が閉じた状態を示す。
【図１３】本実施形態に係る可動入賞装置内の左右の開閉用可動手段を作動させる開閉機構を抽出して示す拡大側面図であり、左右の開閉用可動手段が閉じた状態を示す。
【図１４】本実施形態に係る可動入賞装置内の左右の開閉用可動手段を作動させる開閉機構を抽出して示す拡大裏面図であり、左右の開閉用可動手段が閉じた状態を示す。
【図１５】本実施形態に係る可動入賞装置内の左右の開閉用可動手段を作動させる開閉機構を抽出して示す拡大正面図である。
【図１６】本実施形態に係る可動入賞装置内の左右の開閉用可動手段を作動させる開閉機構を抽出して示す拡大平面図であり、左右の開閉用可動手段が開いた状態を示す。
【図１７】本実施形態に係る可動入賞装置内の左右の開閉用可動手段を作動させる開閉機構を抽出して示す拡大側面図であり、左右の開閉用可動手段が開いた状態を示す。
【図１８】本実施形態に係る可動入賞装置内の左右の開閉用可動手段を作動させる開閉機構を抽出して示す拡大裏面図であり、左右の開閉用可動手段が開いた状態を示す。
【図１９】本実施形態に係るパチンコ遊技機の制御回路を示すブロック図である。
【図２０】本実施形態に係るパチンコ遊技機の賞球の払い出し処理を示すフローチャートである。
【図２１】他の実施形態に係る可動入賞装置のみを示す拡大正面図である。
【図２２】他の実施形態に係る可動入賞装置から回転部材等を取り外した状態を示す拡大正面図である。
【図２３】他の実施形態に係る可動入賞装置におけるパチンコ球通路及び複数の入賞口スイッチを抽出して示した拡大斜視図である。
【図２４】更に他の実施形態に係る可動入賞装置のみを示す拡大正面図である。
【図２５】本実施形態に係るパチンコ遊技機の可動入賞装置の大入賞口の開閉扉の動作処理を示すフローチャートである。
【図２６】本実施形態に係るパチンコ遊技機の有効フラグの処理を示すフローチャートである。
【図２７】本実施形態に係るパチンコ遊技機の有効フラグの処理を示すフローチャートである。
【図２８】本実施形態に係るパチンコ遊技機の有効フラグの処理を示すフローチャートである。
【符号の説明】
【０１０９】
１、６３          パチンコ遊技機
２                遊技盤
６                遊技領域
７、６７          可動入賞装置
８、９            電飾ランプ
１０、１１        入賞口
１２、１３        入賞口
１４、７８        始動口部材
１４Ａ            中始動口
１４Ｂ            左始動口
１４Ｃ            右始動口
１４Ｄ、１４Ｅ    表示用ＬＥＤ
１５Ａ、１５Ｂ    大入賞口
１６Ａ、１６Ｂ    左右の開閉扉
１６Ｃ            入賞球用出口
１８              前面側パチンコ球通路
１８Ａ、１８Ｂ    入賞口スイッチ
１９Ａ、１９Ｂ    開閉用可動手段
２０              遊技室内上方パチンコ球通路
２１              遊技室内下方パチンコ球通路
２２              遊技室
２３              Ｖゾーン用収納部
２４              後方パチンコ球排出口
２５              前方パチンコ球排出口
５０Ａ            ＣＰＵ
５２              ＲＡＭ
５７              中始動口スイッチ
５８              左始動口スイッチ
５９              右始動口スイッチ
６１              賞球払出回路
６６              賞球払出装置
６１Ａ            賞球払い出し用サブ制御手段
１０１、１０２    排出口スイッチ
Ｍ０              駆動モータ
Ｍ２              エンコーダ用鍔部
Ｔ０              突部
Ｔ１              突部
Ｓ１              開閉用ソレノイド
Ｓ２              プランジャ
ＬＬ              発光ダイオード
Ｂ１              壁部
Ｂ２              底面部
ＭＭ              開閉機構
ＳＭ              開閉機構
Ｒ２              パチンコ球通路
Ｒ２Ａ、Ｒ２Ｂ    入賞口スイッチ
Ｌ２、Ｌ３、Ｌ４  距離
【図１】
2005312596.tif 000003
【図２】
2005312596.tif 000004
【図３】
2005312596.tif 000005
【図４】
2005312596.tif 000006
【図５】
2005312596.tif 000007
【図６】
2005312596.tif 000008
【図７】
2005312596.tif 000009
【図８】
2005312596.tif 000010
【図９】
2005312596.tif 000011
【図１０】
2005312596.tif 000012
【図１１】
2005312596.tif 000013
【図１２】
2005312596.tif 000014
【図１３】
2005312596.tif 000015
【図１４】
2005312596.tif 000016
【図１５】
2005312596.tif 000017
【図１６】
2005312596.tif 000018
【図１７】
2005312596.tif 000019
【図１８】
2005312596.tif 000020
【図１９】
2005312596.tif 000021
【図２０】
2005312596.tif 000022
【図２１】
2005312596.tif 000023
【図２２】
2005312596.tif 000024
【図２３】
2005312596.tif 000025
【図２４】
2005312596.tif 000026
【図２５】
2005312596.tif 000027
【図２６】
2005312596.tif 000028
【図２７】
2005312596.tif 000029
【図２８】
2005312596.tif 000030